(57)【要約】      （修正有）【課題】断続的な通信ニーズ、低データレート、到達しづらいロケーションなどを有し得る、低複雑なユーザ機器（ＵＥ）を含む、カバレージ拡張が可能な改善されたシステム、方法及び装置を提供する。【解決手段】フレーム構造は、１０個のサブフレーム１３０４から構成されるいくつかのフレーム１３０３を含む。フレーム構造１３００−ａは、バンドリング長さ１３０７をもつ制御チャネル１３０５、フレーム構造１３００−ｂは、バンドリング長さ１３１０をもつ異なる制御チャネル１３０８及びフレーム構造１３００−ｃは、バンドリング長さ１３１２をもつデータチャネル１３１１を示す。ＵＥは、サブフレーム１３０４で開始される３つすべてのチャネルを監視し、バンドリング長さ１３０７、１３１０、１３１２を識別後、識別されたバンドリング長さに基づいてカバレージ拡張が可能な探索空間を監視する。【選択図】図１３
2020115647.tif 000002
【特許請求の範囲】
【請求項１】
ワイヤレス通信の方法であって、
第１のチャネルの第１の送信時間間隔（ＴＴＩ）バンドリング長さを識別することと、  第２のチャネルの第２のＴＴＩバンドリング長さを識別することと、
前記識別された第１のＴＴＩバンドリング長さに少なくとも部分的に基づいて、ＴＴＩ中に前記第１のチャネルについて第１の探索空間を監視することと、
前記識別された第２のＴＴＩバンドリング長さに少なくとも部分的に基づいて、前記ＴＴＩ中に前記第２のチャネルについて第２の探索空間を監視することと、
を備える、方法。
【請求項２】
第１のＴＴＩバンドリング長さ構成と第２のＴＴＩバンドリング長さ構成とを示すシグナリングを受信すること、をさらに備え、
前記第１の探索空間は、前記第１のＴＴＩバンドリング長さ構成に対応する前記識別された第１のＴＴＩバンドリング長さに少なくとも部分的に基づいて監視され、
前記第２の探索空間は、前記識別された第２のＴＴＩバンドリング長さ構成に少なくとも部分的に基づいて監視される、
請求項１に記載の方法。
【請求項３】
前記第１のチャネルは第１の制御チャネルを備え、前記第２のチャネルは第２の制御チャネルを備える、請求項１に記載の方法。
【請求項４】
前記第１の制御チャネルまたは前記第２の制御チャネルは、前記ＴＴＩ中に他のチャネルと周波数分割多重化される、請求項３に記載の方法。
【請求項５】
第３のチャネルの第３のＴＴＩバンドリング長さを識別することと、
前記識別された第３のＴＴＩバンドリング長さに少なくとも部分的に基づいて、前記ＴＴＩ中に前記第３のチャネルについて第３の探索空間を監視することと、
をさらに備える、請求項１に記載の方法。
【請求項６】
前記第１のチャネルと前記第２のチャネルとは制御チャネルを備え、前記第３のチャネルは、前記第１の制御チャネルまたは前記第２の制御チャネルに関連付けられていないデータチャネルを備える、請求項５に記載の方法。
【請求項７】
前記第１のチャネルと、前記第２のチャネルと、前記第３のチャネルとは、それぞれ畳み込み符号化される、請求項５に記載の方法。
【請求項８】
前記第１のＴＴＩバンドリング長さと前記第２のＴＴＩバンドリング長さとは異なる、請求項１に記載の方法。
【請求項９】
前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、請求項１に記載の方法。
【請求項１０】
前記第１の探索空間は、共通探索空間を備え、前記第１のＴＴＩバンドリング長さは、前記共通探索空間を示し、
前記第２の探索空間は、共通探索空間を備え、前記第２のＴＴＩバンドリング長さは、前記共通探索空間を示す、請求項１に記載の方法。
【請求項１１】
前記第１の探索空間は、デバイス固有の探索空間を備え、前記第１のＴＴＩバンドリング長さは、前記デバイス固有の探索空間を示し、
前記第２の探索空間は、デバイス固有の探索空間を備え、前記第２のＴＴＩバンドリング長さは、前記デバイス固有の探索空間を示す、請求項１に記載の方法。
【請求項１２】
前記第１の探索空間と前記第２の探索空間とは、前記ＴＴＩ中で同じアグリゲーションレベルを有する、請求項１に記載の方法。
【請求項１３】
前記第１の探索空間と前記第２の探索空間とは、前記ＴＴＩ中で異なるアグリゲーションレベルを有する、請求項１に記載の方法。
【請求項１４】
ワイヤレス通信のための装置であって、
第１のチャネルの第１の送信時間間隔（ＴＴＩ）バンドリング長さを識別するための手段と、
第２のチャネルの第２のＴＴＩバンドリング長さを識別するための手段と、
前記識別された第１のＴＴＩバンドリング長さに少なくとも部分的に基づいて、ＴＴＩ中に前記第１のチャネルについて第１の探索空間を監視するための手段と、
前記識別された第２のＴＴＩバンドリング長さに少なくとも部分的に基づいて、前記ＴＴＩ中に前記第２のチャネルについて第２の探索空間を監視するための手段と、
を備える、装置。
【請求項１５】
第１のＴＴＩバンドリング長さ構成と第２のＴＴＩバンドリング長さ構成とを示すシグナリングを受信するための手段、をさらに備え、
前記第１の探索空間を監視するための前記手段は、前記第１のＴＴＩバンドリング長さ構成に対応する前記識別された第１のＴＴＩバンドリング長さに少なくとも部分的に基づいて監視することを実行するように動作可能であり、
前記第２の探索空間を監視するための前記手段は、前記識別された第２のＴＴＩバンドリング長さ構成に少なくとも部分的に基づいて監視することを実行するように動作可能である、
請求項１４に記載の装置。
【請求項１６】
前記第１のチャネルは第１の制御チャネルを備え、前記第２のチャネルは第２の制御チャネルを備える、請求項１４に記載の装置。
【請求項１７】
前記第１の制御チャネルまたは前記第２の制御チャネルは、前記ＴＴＩ中に他のチャネルと周波数分割多重化される、請求項１６に記載の装置。
【請求項１８】
第３のチャネルの第３のＴＴＩバンドリング長さを識別するための手段と、
前記識別された第３のＴＴＩバンドリング長さに少なくとも部分的に基づいて、前記ＴＴＩ中に前記第３のチャネルについて第３の探索空間を監視するための手段と、
をさらに備える、請求項１４に記載の装置。
【請求項１９】
前記第１のチャネルと前記第２のチャネルとは制御チャネルを備え、前記第３のチャネルは、前記第１の制御チャネルまたは前記第２の制御チャネルに関連付けられていないデータチャネルを備える、請求項１８に記載の装置。
【請求項２０】
前記第１のチャネルと、前記第２のチャネルと、前記第３のチャネルとは、それぞれ畳み込み符号化される、請求項１８に記載の装置。
【請求項２１】
前記第１のＴＴＩバンドリング長さと前記第２のＴＴＩバンドリング長さとは異なる、請求項１４に記載の装置。
【請求項２２】
前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、請求項１４に記載の装置。
【請求項２３】
前記第１の探索空間は、共通探索空間を備え、前記第１のＴＴＩバンドリング長さは、前記共通探索空間を示し、
前記第２の探索空間は、共通探索空間を備え、前記第２のＴＴＩバンドリング長さは、前記共通探索空間を示す、請求項１４に記載の装置。
【請求項２４】
前記第１の探索空間は、デバイス固有の探索空間を備え、前記第１のＴＴＩバンドリング長さは、前記デバイス固有の探索空間を示し、
前記第２の探索空間は、デバイス固有の探索空間を備え、前記第２のＴＴＩバンドリング長さは、前記デバイス固有の探索空間を示す、請求項１４に記載の装置。
【請求項２５】
ワイヤレス通信のための装置であって、
プロセッサと、
前記プロセッサと電子通信しているメモリと、
前記メモリ中に記憶され、前記プロセッサによって実行されたとき、前記装置に、
第１のチャネルの第１の送信時間間隔（ＴＴＩ）バンドリング長さを識別することと、
第２のチャネルの第２のＴＴＩバンドリング長さを識別することと、
前記識別された第１のＴＴＩバンドリング長さに少なくとも部分的に基づいて、ＴＴＩ中に前記第１のチャネルについて第１の探索空間を監視することと、
前記識別された第２のＴＴＩバンドリング長さに少なくとも部分的に基づいて、前記ＴＴＩ中に前記第２のチャネルについて第２の探索空間を監視することと、
を行わせるように動作可能な命令と、
を備える、装置。
【請求項２６】
前記命令は、前記装置に、
第１のＴＴＩバンドリング長さ構成と第２のＴＴＩバンドリング長さ構成とを示すシグナリングを受信すること、を行わせるように動作可能であり、
前記第１の探索空間は、第１のＴＴＩバンドリング長さ構成に対応する前記識別された第１のＴＴＩバンドリング長さに少なくとも部分的に基づいて監視され、
前記第２の探索空間は、前記識別された第２のＴＴＩバンドリング長さ構成に少なくとも部分的に基づいて監視される、
請求項２５に記載の装置。
【請求項２７】
前記第１のチャネルは第１の制御チャネルを備え、前記第２のチャネルは第２の制御チャネルを備える、請求項２５に記載の装置。
【請求項２８】
前記命令は、前記装置に、
第３のチャネルの第３のＴＴＩバンドリング長さを識別することと、
前記識別された第３のＴＴＩバンドリング長さに少なくとも部分的に基づいて、前記ＴＴＩ中に前記第３のチャネルについて第３の探索空間を監視することと、
を行わせるように動作可能である、請求項２５に記載の装置。
【請求項２９】
前記第１のチャネルと前記第２のチャネルとは制御チャネルを備え、前記第３のチャネルは、前記第１の制御チャネルまたは前記第２の制御チャネルに関連付けられていないデータチャネルを備える、請求項２８に記載の装置。
【請求項３０】
ワイヤレス通信のためのコードを記憶する非一時的コンピュータ可読媒体であって、前記コードは
第１のチャネルの送信時間間隔（ＴＴＩ）バンドリング長さを識別することと、
前記識別されたＴＴＩバンドリング長さに少なくとも部分的に基づいて、ＴＴＩ中に前記第１のチャネルについて第１の探索空間を監視することと、
を行うように実行可能な命令を備える、非一時的コンピュータ可読媒体。
【発明の詳細な説明】
【優先権の主張】
【０００１】
相互参照
本特許出願は、そのそれぞれが本譲受人に譲渡されている、２０１５年７月１６日に出願された、Ｃｈｅｎ他による「Ｒｅｓｏｕｒｃｅ  Ｍａｎａｇｅｍｅｎｔ  ｆｏｒ  ＵＥｓ  Ｕｎｄｅｒ  Ｃｏｖｅｒａｇｅ  Ｅｎｈａｎｃｅｍｅｎｔ」という名称の米国特許出願第１４／８０１，４３４号、および２０１４年７月１８日に出願された、Ｃｈｅｎ他による「Ｒｅｓｏｕｒｃｅ  Ｍａｎａｇｅｍｅｎｔ  ｆｏｒ  ＵＥｓ  Ｕｎｄｅｒ  Ｃｏｖｅｒａｇｅ  Ｅｎｈａｎｃｅｍｅｎｔ」という名称の米国仮特許出願第６２／０２６，４７７号の優先権を主張する。
【技術分野】
【０００２】
[0004]説明する特徴は、概して、断続的な通信の必要性、低データレート、到達しづらいロケーションなどを有し得る、低複雑なデバイスを含むＵＥのためのカバレージ拡張のための改善されたシステム、方法、および装置に関する。カバレージ拡張下のＵＥ、またはカバレージ拡張から潜在的に利益を得るＵＥのリソース管理のために利用され得る技法について説明する。
【背景技術】
【０００３】
[0002]ワイヤレス通信システムは、音声、ビデオ、パケットデータ、メッセージング、およびブロードキャストなどの様々なタイプの通信内容を提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0003]概して、ワイヤレス多元接続通信システムは、各々が複数のモバイルデバイスまたは他のＵＥデバイスのための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージ範囲を有する。ワイヤレス通信システムの開発は、スマートフォン、タブレットなどに焦点を当ててきた。しかし、断続的通信ニーズを有し得るデバイス、および／または基地局のカバレージ範囲の外周に位置し得るデバイスを含む低複雑なデバイスをサポートする開発の必要性が高まっていることがある。
【発明の概要】
【０００５】
[0004]説明する特徴は、概して、断続的な通信の必要性、低データレート、到達しづらいロケーションなどを有し得る、低複雑なデバイスを含むＵＥのためのカバレージ拡張のための改善されたシステム、方法、および装置に関する。カバレージ拡張下のＵＥ、またはカバレージ拡張から潜在的に利益を得るＵＥのリソース管理のために利用され得る技法について説明する。
【０００６】
[0005]送信時間間隔（ＴＴＩ：transmission time interval）バンドリングを利用するシステム内の様々なデバイスは、たとえば、共有チャネルに関連するＴＴＩバンドリング長さを識別し得、共有チャネルと制御チャネルとの間の関連付け（association）を決定し得る。追加または代替として、共有チャネルのトランスポートブロックサイズ（ＴＢＳ：transport block size）が識別され得る。したがって、共有チャネルのための符号化方式は、共有チャネルの識別されたＴＴＩバンドリング長さ、共有チャネルと制御チャネルとの間の決定された関連付け、および／またはＴＢＳに基づいて決定され得る。
【０００７】
[0006]いくつかの例では、ＵＥを含むデバイスは、ＴＴＩ中に、制御データチャネルと無制御データチャネルとについて異なる探索空間を監視し得る。したがって、ＵＥは、１つの探索空間から制御チャネルを復号し得、ＵＥは、異なる探索空間からデータチャネルを復号し得る。したがって、ＵＥは、制御ベースおよび／または無制御のモードで動作し得る。
【０００８】
[0007]ワイヤレス通信の方法について説明する。本方法は、第１のチャネルの第１の送信時間間隔（ＴＴＩ）バンドリング長さを識別することと、第２のチャネルの第２のＴＴＩバンドリング長さを識別することと、識別された第１のＴＴＩバンドリング長さに少なくとも部分的に基づいて、ＴＴＩ中に、第１のチャネルについて第１の探索空間を監視することと、識別された第２のＴＴＩバンドリング長さに少なくとも部分的に基づいて、ＴＴＩ中に、第２のチャネルについて第２の探索空間を監視することと、を含み得る。
【０００９】
[0008]ワイヤレス通信のための装置について説明する。本装置は、第１のチャネルの第１のＴＴＩバンドリング長さを識別するための手段と、第２のチャネルの第２のＴＴＩバンドリング長さを識別するための手段と、識別された第１のＴＴＩバンドリング長さに少なくとも部分的に基づいて、ＴＴＩ中に、第１のチャネルについて第１の探索空間を監視するための手段と、識別された第２のＴＴＩバンドリング長さに少なくとも部分的に基づいて、ＴＴＩ中に第２のチャネルについて第２の探索空間を監視するための手段と、を含み得る。
【００１０】
[0009]ワイヤレス通信のためのさらなる装置について説明する。本装置は、プロセッサと、プロセッサと電子通信しているメモリと、メモリ中に記憶され、プロセッサによって実行されたとき、装置に、第１のチャネルの第１のＴＴＩバンドリング長さを識別することと、第２のチャネルの第２のＴＴＩバンドリング長さを識別することと、識別された第１のＴＴＩバンドリング長さに少なくとも部分的に基づいて、ＴＴＩ中に、第１のチャネルについて第１の探索空間を監視することと、識別された第２のＴＴＩバンドリング長さに少なくとも部分的に基づいて、ＴＴＩ中に、第２のチャネルについて第２の探索空間を監視することと、を行わせるように動作可能な命令とを含み得る。
【００１１】
[0010]ワイヤレス通信のためのコードを記憶する非一時的コンピュータ可読媒体について説明する。本コードは、第１のチャネルの第１のＴＴＩバンドリング長さを識別することと、第２のチャネルの第２のＴＴＩバンドリング長さを識別することと、識別された第１のＴＴＩバンドリング長さに少なくとも部分的に基づいて、ＴＴＩ中に、第１のチャネルについて第１の探索空間を監視することと、識別された第２のＴＴＩバンドリング長さに少なくとも部分的に基づいて、ＴＴＩ中に、第２のチャネルについて第２の探索空間を監視することとを行うように実行可能である命令を含み得る。
【００１２】
[0011]本明細書で説明する方法、装置、または非一時的コンピュータ可読媒体のいくつかの例は、さらに、第１のＴＴＩバンドリング長さ構成と第２のＴＴＩバンドリング長さ構成とを示すシグナリングを受信するためのプロセス、特徴、手段、または命令をさらに備え、第１の探索空間は、第１のＴＴＩバンドリング長さ構成に対応する識別された第１のＴＴＩバンドリング長さに少なくとも部分的に基づいて監視され、第２の探索空間は、識別された第２のＴＴＩバンドリング長さ構成に少なくとも部分的に基づいて監視される。追加または代替として、いくつかの例では、第１のチャネルは、第１の制御チャネルを備え、第２のチャネルは、第２の制御チャネルを備える。
【００１３】
[0012]本明細書で説明する方法、装置、または非一時的コンピュータ可読媒体のいくつかの例では、第１の制御チャネルまたは第２の制御チャネルは、ＴＴＩ中に他のチャネルと周波数分割多重化される。追加または代替として、いくつかの例は、第３のチャネルの第３のＴＴＩバンドリング長さを識別することと、識別された第３のＴＴＩバンドリング長さに少なくとも部分的に基づいて、ＴＴＩ中に、第３のチャネルについて第３の探索空間を監視することと、を行うためのプロセス、特徴、手段、または命令を含み得る。
【００１４】
[0013]本明細書で説明する方法、装置、または非一時的コンピュータ可読媒体のいくつかの例では、第１のチャネルと第２チャネルとは制御チャネルを備え、第３のチャネルは、第１の制御チャネルまたは第２の制御チャネルに関連付けられていない（unassociated）データチャネルを備える。追加または代替として、いくつかの例では、第１のチャネルと、第２のチャネルと、第３のチャネルとは、それぞれ畳み込み符号化される。
【００１５】
[0014]本明細書で説明する方法、装置、または非一時的コンピュータ可読媒体のいくつかの例では、第１のＴＴＩバンドリング長さと第２のＴＴＩバンドリング長さとは異なる。追加または代替として、いくつかの例では、第１の探索空間は、共通探索空間を備え、第１のＴＴＩバンドリング長さは、共通探索空間を示す、ここにおいて、第２の探索空間は、デバイス固有の探索空間を備え、第２のＴＴＩバンドリング長さは、デバイス固有の探索空間を示す。
【００１６】
[0015]本明細書で説明する方法、装置、または非一時的コンピュータ可読媒体のいくつかの例では、第１の探索空間は、共通探索空間を備え、第１のＴＴＩバンドリング長さは、共通探索空間を示し、第２の探索空間は、共通探索空間を備え、第２のＴＴＩバンドリング長さは、共通探索空間を示す。追加または代替として、いくつかの例では、第１の探索空間は、デバイス固有の探索空間を備え、第１のＴＴＩバンドリング長さは、デバイス固有の探索空間を示し、第２の探索空間は、デバイス固有の探索空間を備え、第２のＴＴＩバンドリング長さは、デバイス固有の探索空間を示す。
【００１７】
[0016]本明細書で説明する方法、装置、または非一時的コンピュータ可読媒体のいくつかの例では、第１の探索空間と第２の探索空間とは、ＴＴＩ中で同じアグリゲーションレベルを有する。追加または代替として、いくつかの例では、第１の探索空間と第２の探索空間とは、ＴＴＩ中で異なるアグリゲーションレベルを有する。
【００１８】
[0017]ワイヤレス通信の方法について説明する。本方法は、第１のチャネルについてＴＴＩ中に第１の探索空間を監視することと、第２のチャネルについてＴＴＩ中に第２の探索空間を監視することとを含み得る。
【００１９】
[0018]ワイヤレス通信のための装置について説明する。本装置は、第１のチャネルについてＴＴＩ中に第１の探索空間を監視するための手段と、第２のチャネルについてＴＴＩ中に第２の探索空間を監視するための手段とを含み得る。
【００２０】
[0019]ワイヤレス通信のためのさらなる装置について説明する。本装置は、プロセッサと、プロセッサと電子通信しているメモリと、メモリ中に記憶され、プロセッサによって実行されたとき、装置に、第１のチャネルについてＴＴＩ中に第１の探索空間を監視することと、第２のチャネルについてＴＴＩ中に第２の探索空間を監視することとを行わせるように動作可能な命令とを含み得る。
【００２１】
[0020]ワイヤレス通信のためのコードを記憶する非一時的コンピュータ可読媒体について説明する。本コードは、第１のチャネルについてＴＴＩ中に第１の探索空間を監視することと、第２のチャネルについてＴＴＩ中に第２の探索空間を監視することとを行うように実行可能である命令を含み得る。
【００２２】
[0021]本明細書で説明する方法、装置、または非一時的コンピュータ可読媒体のいくつかの例では、第１のチャネルは制御チャネルであり、第２のチャネルはデータチャネルである。追加または代替として、いくつかの例は、第１の探索空間から制御チャネルをブラインド復号することと、第２の探索空間からデータチャネルをブラインド復号することとを行うためのプロセス、特徴、手段、または命令を含む。
【００２３】
[0022]本明細書で説明する方法、装置、または非一時的コンピュータ可読媒体のいくつかの例では、制御チャネルは、対応する共有データチャネルをスケジュールする物理制御チャネルを備え、データチャネルは、いかなる制御チャネルにも関連付けされていない物理共有チャネルを備える。追加または代替として、いくつかの例では、データチャネルは畳み込み符号化される。
【００２４】
[0023]本明細書で説明する方法、装置、または非一時的コンピュータ可読媒体のいくつかの例は、さらに、ブロードキャスト送信に関連する追加の制御チャネルについてＴＴＩ中に第３の探索空間を監視することを行うためのプロセス、特徴、手段、または命令を含み得る。追加または代替として、いくつかの例は、ユーザ機器（ＵＥ）のための無関連のデータ（unassociated data）監視モードをイネーブルにするためのプロセス、特徴、手段、または命令を含み、第２の探索空間を監視することは、イネーブルにされた無関連のデータ監視モードに少なくとも部分的に基づく。
【００２５】
[0024]本明細書で説明する方法、装置、または非一時的コンピュータ可読媒体のいくつかの例では、第１の探索空間は、共通探索空間を備える。追加または代替として、いくつかの例では、第１のチャネルは、第１のデータチャネルであり、第２のチャネルは、第２のデータチャネルである。
【００２６】
[0025]本明細書で説明する方法、装置、または非一時的コンピュータ可読媒体のいくつかの例は、さらに、第１の探索空間から第１のデータチャネルをブラインド復号することと、第２の探索空間から第２のデータチャネルをブラインド復号することとを行うためのプロセス、特徴、手段、または命令を含み得る。追加または代替として、いくつかの例では、第１の探索空間は、第１のチャネルの第１のＴＴＩバンドリング長さに少なくとも部分的に基づいて監視され、第２の探索空間は、第２のチャネルの第２のＴＴＩバンドリング長さに少なくとも部分的に基づいて監視される。
【００２７】
[0026]説明する方法、装置、およびコンピュータ可読媒体の適用性のさらなる範囲は、以下の発明を実施するための形態、特許請求の範囲、および図面から明らかになろう。当業者には発明を実施するための形態の範囲内の様々な変更および改変が明らかになるので、発明を実施するための形態および特定の例は、例示として与えられるものにすぎない。
【００２８】
[0027]本開示の性質および利点のより一層の理解は、以下の図面を参照することによって実現され得る。添付の図では、同様の構成要素または特徴は、同一の参照符号を有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２９】
【図１】本開示の様々な態様による、ワイヤレス通信システムの一例を示す図。
【図２】本開示の様々な態様による、カバレージ拡張の下でのＵＥのためのリソース管理のために構成されたワイヤレス通信システムの一例を示す図。
【図３Ａ】本開示の様々な態様による、カバレージ拡張の下でのＵＥのためのリソース管理の例を示す図。
【図３Ｂ】本開示の様々な態様による、カバレージ拡張の下でのＵＥのためのリソース管理の例を示す図。
【図３Ｃ】本開示の様々な態様による、カバレージ拡張の下でのＵＥのためのリソース管理の例を示す図。
【図３Ｄ】本開示の様々な態様による、カバレージ拡張の下でのＵＥのためのリソース管理の例を示す図。
【図４】本開示の様々な態様による、カバレージ拡張の下でのＵＥのためのリソース管理のために構成されたデバイスのブロック図。
【図５】本開示の様々な態様による、カバレージ拡張の下でのＵＥのためのリソース管理のために構成されたデバイスのブロック図。
【図６】本開示の様々な態様による、カバレージ拡張の下でのＵＥのためのリソース管理のために構成されたデバイスのブロック図。
【図７】本開示の様々な態様による、カバレージ拡張の下でのＵＥのためのリソース管理のために構成されたシステムのブロック図。
【図８】本開示の様々な態様による、カバレージ拡張の下でのＵＥのためのリソース管理のために構成されたシステムのブロック図。
【図９】本開示の様々な態様による、カバレージ拡張の下でのＵＥのためのリソース管理のための方法を示すフローチャート。
【図１０】本開示の様々な態様による、カバレージ拡張の下でのＵＥのためのリソース管理のための方法を示すフローチャート。
【図１１】本開示の様々な態様による、カバレージ拡張の下でのＵＥのためのリソース管理のための方法を示すフローチャート。
【図１２】本開示の様々な態様による、カバレージ拡張の下でのＵＥのためのリソース管理の一例を示す図。
【図１３】本開示の様々な態様による、カバレージ拡張の下でのＵＥのためのリソース管理の一例を示す図。
【図１４】本開示の様々な態様による、カバレージ拡張の下でのＵＥのためのリソース管理のために構成されたデバイスのブロック図。
【図１５】本開示の様々な態様による、カバレージ拡張の下でのＵＥのためのリソース管理のために構成されたデバイスのブロック図。
【図１６】本開示の様々な態様による、カバレージ拡張の下でのＵＥのためのリソース管理のために構成されたデバイスのブロック図。
【図１７】本開示の様々な態様による、カバレージ拡張の下でのＵＥのためのリソース管理のために構成されたシステムのブロック図。
【図１８】本開示の様々な態様による、カバレージ拡張の下でのＵＥのためのリソース管理のための方法を示すフローチャート。
【図１９】本開示の様々な態様による、カバレージ拡張の下でのＵＥのためのリソース管理のための方法を示すフローチャート。
【図２０】本開示の様々な態様による、カバレージ拡張の下でのＵＥのためのリソース管理のための方法を示すフローチャート。
【図２１】本開示の様々な態様による、カバレージ拡張の下でのＵＥのためのリソース管理のための方法を示すフローチャート。
【発明を実施するための形態】
【００３０】
[0049]リソース管理は、システム内のユーザ機器（ＵＥ）のためのカバレージ拡張を改善し得る。基地局および／またはＵＥ内のデバイスは、特定のチャネル、送信、および／または環境条件に従って様々な符号化方式を識別し、採用するために送信時間間隔（ＴＴＩ）バンドリングを利用するように構成され得る。追加または代替として、デバイスは、制御ベースの送信、無制御の送信、またはその両方を監視および／または復号するように構成され得る。場合によっては、デバイスはまた、ＴＴＩバンドリング長さに基づいて様々なチャネルを監視するように構成され得る。これらの技法のうちのいくつかまたはいずれかにより、低複雑なＵＥを含むＵＥのカバレージ拡張が可能になり得る。本明細書で使用するカバレージ拡張は、信号強度、たとえば、ＵＥから送信されるか、またはＵＥによって受信される信号の強度の向上を実現する技法を指すことがある。場合によっては、カバレージ拡張は、ＵＥにおいてまたはＵＥによって実現される信号出力の効果的な増大を指すことがある。
【００３１】
[0050]以下の説明は、例を与えるものであり、特許請求の範囲に記載される範囲、適用性、または構成を限定するものではない。本開示の範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わされ得る。また、いくつかの実施形態に関して説明する特徴は、他の実施形態において組み合わされ得る。
【００３２】
[0051]図１に、本開示の様々な態様による、ワイヤレス通信システム１００の一例を示す。システム１００は、基地局１０５と、ＵＥ１１５としても知られる通信デバイスと、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。基地局１０５は、バックホールリンク１３２を介してコアネットワーク１３０を用いて制御情報および／またはユーザデータを通信し得る。実施形態では、基地局１０５は、ワイヤードまたはワイヤレス通信リンクであり得るバックホールリンク１３４を介して互いに直接または間接的に通信し得る。システム１００は、複数のキャリア（異なる周波数の波形信号）上での動作をサポートし得る。ワイヤレス通信リンク１２５は、様々な無線技術に従って変調され得る。各被変調信号は、制御情報（たとえば、基準信号、制御チャネルなど）、オーバーヘッド情報、データなどを搬送し得る。
【００３３】
[0052]基地局１０５は、１つまたは複数の基地局アンテナを介してＵＥ１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、またはいくつかの他の好適な用語で呼ばれることがある。基地局のためのカバレージエリア１１０は、カバレージエリアの一部分を構成するセクタ（図示せず）に分割され得る。システム１００は、異なるタイプの基地局１０５（たとえば、マクロ基地局、マイクロ基地局、および／またはピコ基地局）を含み得る。異なる技術のための重複するカバレージエリアがあり得る。以下で説明するように、基地局１０５は、システム１００内で低複雑なＵＥ１１５を含む様々なタイプのＵＥ１１５をサポートするためにカバレージ拡張技法を採用し得る。
【００３４】
[0053]システム１００は、異なるタイプの基地局が様々な地理的領域にカバレージを与える、異種ロングタームエボリューション（ＬＴＥ）／ＬＴＥ−Ａネットワークであり得る。たとえば、各基地局１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。フェムトセルもまた、概して、比較的小さい地理的エリア（たとえば、自宅）をカバーすることになり、無制限アクセスに加えて、フェムトセルとの関連を有するＵＥによる制限付きアクセスをも与え得る。
【００３５】
[0054]コアネットワーク１３０は、バックホール１３２（たとえば、Ｓ１など）を介して基地局１０５と通信し得る。基地局１０５はまた、バックホールリンク１３４（たとえば、Ｘ２など）を介して、および／またはバックホールリンク１３２を介して（たとえば、コアネットワーク１３０を通して）たとえば、直接的または間接的に、互いに通信し得る。ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００３６】
[0055]ＵＥ１１５は、ワイヤレス通信システム１００全体にわたって分散され得、各ＵＥは固定または移動であり得る。ＵＥ１１５は、マクロｅＮＢ、ピコｅＮＢ、フェムトｅＮＢ、リレーなどと通信することが可能であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。システム１００のいくつかの態様が、そのようなＵＥ１１５のためのスペクトル効率、ユビキタスカバレージ、拡張サービス品質（ＱｏＳ）サポートなどを改善するように設計され得るが、低複雑な（たとえば、低コストの）ＵＥ１１５もシステム１００によって効果的にサポートされ得る。
【００３７】
[0056]これらの低複雑な／低コストのＵＥ１１５は、自動通信を行い得る。本明細書で使用する、「低複雑な」は、限られたデータレート、送信電力などを含む、ＵＥ１１５の限られた動作能力および／または特徴を指すことがある。これらのデバイスは、スマートフォン、タブレットコンピュータなどの他のワイヤレスデバイスよりもはるかに安価に製造し、動作させることができるので、「低コスト」と呼ばれることもある。
【００３８】
[0057]自動化ワイヤレスデバイスは、マシンツーマシン（Ｍ２Ｍ：Machine-to-Machine）通信またはマシン型通信（ＭＴＣ：Machine Type Communication）を実装するデバイスを含み得る。Ｍ２Ｍおよび／またはＭＴＣは、デバイスが人の介在なしに互いにまたは基地局と通信することを可能にするデータ通信技術を指し得る。たとえば、Ｍ２Ｍおよび／またはＭＴＣは、センサーまたはメーターを組み込んで情報を測定または捕捉し、その情報を活用することができる中央サーバもしくはアプリケーションプログラムにその情報を中継する、またはプログラムもしくはアプリケーションと対話する人間に情報を提示するデバイスからの通信を指すことがある。いくつかのＵＥ１１５は、情報を収集するか、または機械の自動挙動を可能にするように設計されたＭＴＣデバイスなどのＭＴＣデバイスであり得る。ＭＴＣデバイスに関する適用例としては、スマートメータリング、インベントリモニタリング、水位モニタリング、機器モニタリング、ヘルスケアモニタリング、野生生物モニタリング、天候および地質学的事象モニタリング、フリート管理および追跡、リモートセキュリティ検知、物理的アクセス制御、ならびにトランザクションベースのビジネス課金がある。いくつかのマーケット予想は、低コストのデバイス（たとえば、ＭＴＣデバイス）の数が今日のセルフォンを大きく超え得ることを示している。
【００３９】
[0058]低複雑なＵＥ１１５を含む絶えず増加するＵＥ１１５をサポートするために、いくつかのＵＥ１１５は、レガシーＵＥ１１５、たとえば、ＬＴＥリリース１１またはそれ以前に従って動作するＵＥ１１５と比較して低減された最大帯域幅を用いて通信し得る。そのようなＵＥ１１５は、同じくまたは代替的に、複雑さを低減するために単一の無線周波数（ＲＦ）チェーンを用いて構成され得、また、ピークデータレートが低減され得る、および／または送信電力能力が低減され得る。場合によっては、そのようなデバイスは、半二重方式で動作し、たとえば、送信と受信との両方同時にではなく、そのいずれかを行って動作する。
【００４０】
[0059]システム１００に示された通信リンク１２５は、ＵＥ１１５から基地局１０５へのアップリンク（ＵＬ）送信、および／またはＤＬキャリアを介した基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００４１】
[0060]通信リンク１２５は、いくつかの例では、制御ベースのデータチャネルと無制御のデータチャネルを含み得る。本明細書で使用する制御ベースのデータチャネルは、制御チャネルによってスケジュールされるデータチャネルを指すことがあるが、無制御のデータチャネルは、制御チャネルによってスケジュールされ得ない。たとえば、物理ダウンリンク共有チャネル（ＰＤＳＣＨ：physical downlink shared channel）は、ＰＤＳＣＨをスケジュールする関連する物理ダウンリンク制御チャネル（ＰＤＣＣＨ：physical downlink control channel）を有し得、ＰＤＳＣＨは、制御ベース(control-based)と呼ばれることがある。しかしながら、別のＰＤＳＣＨは、ＰＤＣＣＨによってスケジュールされないことがある（たとえば、ＰＤＣＣＨに関連付けられないことがある）が、（以下で説明するように）ブラインド復号され得、無制御（control-less）と呼ばれることがある。したがって、通信リンク１２５は、システム１００内でカバレージ拡張の下でＵＥ１１５のためのリソース管理を行い得る。
【００４２】
[0061]図２に、本開示の様々な態様による、カバレージ拡張の下でのＵＥのためのリソース管理のためのワイヤレス通信システム２００の一例を示す。システム２００は、通信リンク１２５を介してＵＥ１１５と通信する、カバレージエリア１１０−ａを有する基地局１０５−ａを含み得る。これらの各々は、図１を参照しながら説明したシステム１００の対応するデバイスおよび態様の例であり得る。いくつかの例では、通信リンク１２５は、バンドルされた送信（たとえば、ＴＴＩバンドリング）を含み得る。
【００４３】
[0062]通信リンク１２５は、制御チャネルおよびデータチャネル２２５を含み得、これは、制御ベースおよび／または無制御であり得る。データチャネルは、論理チャネルと、トランスポートチャネルと、物理レイヤチャネルとに分割され得る。ＤＬ物理チャネルは、物理ブロードキャストチャネル（ＰＢＣＨ：physical broadcast channel）、物理制御フォーマットインジケータチャネル（ＰＣＦＩＣＨ：physical control format indicator channel）、物理下りリンク制御チャネル（ＰＤＣＣＨ）、物理ＨＡＲＱインジケータチャネル（ＰＨＩＣＨ：physical HARQ indicator channel）、物理下りリンク共有チャネル（ＰＤＳＣＨ）、および物理マルチキャストチャネル（ＰＭＣＨ：physical multicast channel）を含み得る。アップリンク物理チャネルは、物理ランダムアクセスチャネル（ＰＲＡＣＨ：physical random access channel）、物理アップリンク制御チャネル（ＰＵＣＣＨ：physical uplink control channel）および物理アップリンク共有チャネル（ＰＵＳＣＨ：physical uplink shared channel）を含み得る。
【００４４】
[0063]ＰＤＣＣＨは、制御チャネル要素（ＣＣＥ：control channel element）中でダウンリンク制御情報（ＤＣＩ：downlink control information）を搬送し、これは、論理的に連続するリソース要素グループ（ＲＥＧ：resource element group）からなり得、ここで、各ＲＥＧは、４つのリソース要素（ＲＥ：resource element）を含んでいる。ＤＣＩは、ＤＬスケジューリング割当て、ＵＬリソース許可、送信方式、ＵＬ電力制御、ハイブリッド自動再送要求（ＨＡＲＱ：hybrid automatic repeat request）情報、変調およびコーディング方式（ＭＣＳ：modulation and coding scheme）および他の情報に関する情報を含む。ＤＣＩメッセージのサイズおよびフォーマットは、ＤＣＩによって搬送される情報のタイプおよび量に応じて異なることができる。
【００４５】
[0064]ユーザ機器における電力消費量とオーバーヘッドとを低減するために、ＣＣＥロケーションの限られたセットが、特定のＵＥ１１５に関連するＤＣＩに指定され得る。ＣＣＥが（たとえば、１つ、２つ、４つ、および８つのＣＣＥのグループに）グループ化され、ユーザ機器が関係するＤＣＩを発見し得るＣＣＥロケーションのセットが指定され得る。これらのＣＣＥは、探索空間として知られることがある。ＣＣＥのグルーピングは、アグリゲーションレベルと呼ばれることがある。異なる探索空間は、同じまたは異なるアグリゲーションレベルを有し得る。場合によっては、２つの探索空間は、サブフレーム中に同じアグリゲーションレベルを有する。他の場合には、２つの探索空間は、サブフレーム中に異なるアグリゲーションレベルを有し得る。探索空間は、共通ＣＣＥ領域または探索空間と、ＵＥ固有（専用）ＣＣＥ領域または探索空間との２つの領域に区分され得る。共通ＣＣＥ領域は、基地局１０５によってサービスされるすべてのＵＥによって監視され得、ページング情報、システム情報、ランダムアクセス手順などの情報を含み得る。ＵＥ固有の探索空間は、ユーザ固有の制御情報を含み得る。ＣＣＥはインデックス付けされ得、共通探索空間は、常にＣＣＥ０から開始する。ＵＥ１１５は、ブラインド復号として知られるプロセスを実行することによってＤＣＩを復号しようと試み得、その間、ＤＣＩが検出されるまで、探索空間がランダムに復号される。ブラインド復号中に、ユーザ機器は、それのセル無線ネットワーク一時識別子（Ｃ−ＲＮＴＩ：cell radio network temporary identifier）を使用して、すべての潜在的なＤＣＩメッセージをデスクランブルすることを試み、試みが成功したかどうかを決定するために巡回冗長検査（ＣＲＣ：cyclic redundancy check）を実行し得る。図１２に関して以下でより十分に説明するように、ＵＥ１１５はまた、無制御のデータ用に指定されたＵＥ固有の探索空間を参照して、特定のデータチャネル（たとえば、ＰＢＣＨおよび／またはＰＤＳＣＨ）をブラインド復号することを試み得る。
【００４６】
[0065]システム２００では、ＵＥ１１５−ａは、ピークデータレートが低減された低複雑なＵＥ１１５であり得る。たとえば、ＵＥ１１５−ａは、１００ｋｂｐｓ以下のデータレートをもつメーターまたはセンサーであり得る。したがって、ＵＥ１１５−ａが狭帯域幅を介して動作することが可能であり得、これは、ＵＥ１１５−ａを開発し、実装し、それと通信するコストに役立ち得る。そのような狭帯域動作をサポートするために、システム２００内の低複雑なＵＥ１１５の動作をサポートするために、一部の狭帯域幅（たとえば、１．２５ＭＨｚ）を確保する（set aside）ことが可能であり得る。代替的に、低複雑なＵＥ１１５は、より大きい帯域幅で動作し得、したがって、様々な例では、スマートフォンまたはタブレットであり得るＵＥ１１５−ｂなどの通常のＵＥ１１５と共存し得る。
【００４７】
[0066]システム２００は、様々な方法でより大きい帯域幅での低複雑なＵＥ１１５の動作をサポートするように構成され得る。たとえば、低複雑なＵＥ１１５−ａ、たとえば、パーキングメーター内のワイヤレス通信デバイスは、通常のＵＥ１１５−ｂ、たとえば、スマートフォンとしてその同じ大きい帯域幅を用いて動作し得る。場合によっては、システム２００内のすべてのＵＥ１１５は、２０ＭＨｚまでの帯域幅で動作し得るが、これは、ＵＥ１１５−ａのコストまたは複雑さ（たとえば、バッテリー消費量）を低減するのに役立たないことがある。代替的に、低複雑なＵＥ１１５は、システム２００の帯域幅のより小さい部分を用いて動作し得る。
【００４８】
[0067]システム２００の帯域幅内での低複雑なＵＥ１１５の動作をサポートするいくつかのソリューションは、ＴＴＩバンドリングを組み込み、これは、ＵＥごとに構成され得る。バンドリング動作は、いくつかの例では、（たとえば、ｔｔｉＢｕｎｄｌｉｎｇパラメータを用いた）上位レイヤからの専用シグナリングによって構成され得る。図３Ａに、本開示の様々な態様による、カバレージ拡張の下でのＵＥのための、ＴＴＩバンドリングを利用したリソース管理の一例を示す。図３Ａに、図１および図２を参照しながら説明したシステム１００または２００内のキャリアのフレーム構造３０２の一例を示す。たとえば、図３Ａに、システム１００または２００中の通信リンク１２５のために利用されるワイヤレスキャリアのフレーム構造を示し得る。
【００４９】
[0068]周波数分割複信（ＦＤＤ）（たとえば、フレーム構造タイプ１）と時分割複信（ＴＤＤ）（たとえば、フレーム構造タイプ２）とのためのフレーム構造は、システム１００および２００内に定義され得る。時間間隔は、基本時間単位（Ｔｓ＝１／３０，７２０，０００秒）の倍数単位で表され得る。各フレーム構造は、無線フレーム長さ（Ｔｆ＝３０７２００・Ｔｓ＝１０ｍｓ）を有し得、それぞれ、５ｍｓ（１５３６００・Ｔｓ）の２つのハーフフレームを含み得る。各ハーフフレームは、１ｍｓ（３０７２０・Ｔｓ）の５つのサブフレームを含み得る。ＴＤＤフレーム構造の場合、各サブフレームは、ＵＬトラフィックまたはＤＬトラフィックを搬送し得、ＤＬ送信とＵＬ送信との間で切り替えるために特殊なサブフレームが使用され得る。サブフレームは、以下で説明するようにバンドルされ得、通信リンク１２５は、ＴＴＩバンドル送信を含み得る。
【００５０】
[0069]したがって、フレーム構造３０２は、それぞれ、１０個のサブフレーム３０４から構成されるいくつかのフレーム３０３を含み得る。いくつかの例では、フレーム構造３０２は、フレーム構造タイプ１またはタイプ２であり得るＬＴＥキャリアを示し、ここで、各サブフレームは、持続時間が１ｍｓである。例示的なフレーム構造３０２では、システムフレーム番号（ＳＦＮ）０〜３が示されるが、当業者は、フレーム構造の他の部分への、およびシステム内の他のフレームおよびサブフレームへの一般的適用性この説明を認識されよう。
【００５１】
[0070]１フレーム内のサブフレームは、バンドルされ得る３０５。バンドリングは、連続するサブフレーム内で冗長信号（たとえば、冗長ビット）を送信することを含み得る。バンドルされるＴＴＩの数、たとえば、冗長ビットを搬送する、連続していることも連続していないこともあるＴＴＩの数は、ＴＴＩバンドル長さ３０７と呼ばれることがある。４つの冗長送信を有するバンドルのためのＴＴＩバンドル長さ３０７は、４ｍｓであり得、４つのＴＴＩまたは４つのサブフレームの長さまたはサイズを有すると呼ばれることがある。
【００５２】
[0071]例として、ＴＴＩバンドリングがＵＥ１１５のために構成される場合、バンドリング動作は、あるチャネルまたはいくつかのチャネルに適用され得る。たとえば、バンドリングは、アップリンク共有チャネルに制限され得、他のチャネルに適用されないことがある。ただし、他の例では、バンドリング動作は、サブフレーム内の複数のチャネルに適用され得る。
【００５３】
[0072]いくつかの例では、バンドリングは、最大バンドル長さ３０７に固定および／または制限され得る。バンドリングは、たとえば、４つの連続するサブフレームに制限され得る。したがって、あるチャネル（たとえば、ＰＵＳＣＨ）は、いくつかの例では、それよりも多くも少なくもない４つの連続するＴＴＩ中で送信され得る。追加または代替として、バンドルされたサブフレームの各々中で、同じハイブリッド自動再送要求（ＨＡＲＱ）プロセス数が使用され得る。ＴＴＩバンドル３０５は、単一のリソース、たとえば、単一の許可（grant）として扱われ得、各バンドルのために単一のＨＡＲＱ肯定応答が使用され得る。図３Ａに示すバンドリング長さ３０７は４であるが、バンドリング長さ３０７は、実質的にいかなる数にもなり得る。たとえば、バンドリング長さ３０７は、無線フレーム構造内の（たとえば、ＬＴＥ無線フレーム構造内の）任意の数のサブフレームを含み得る。バンドリング長さ３０７は、いくつかのフレーム３０３にわたるサブフレーム３０４を含み得る。
【００５４】
[0073]いくつかのバンドリング動作の場合、リソース割当てサイズは、いくつかのリソースブロック（たとえば、３つのリソースブロック）に制限され得るが、他の例では、システムによってそのような制限が課されないことがある。追加または代替として、システムは、バンドリングに関係する変調オーダ（modulation order）を設定し得、たとえば、変調オーダは、２に設定され得、これは、直交位相シフトキーイング（ＱＰＳＫ：quadrature phase-shift keying）を示し得る。
【００５５】
[0074]バンドリングは、様々な理由で採用され得るが、低データレートトラフィックのために特定の利益を提供し得る。たとえば、ボイスオーバーインターネットプロトコル（ＶｏＩＰ）パケットは、低いアップリンクリンクバジェットにより単一のＴＴＩ中で送信するのは困難であることがある。したがって、レイヤ２（Ｌ２）セグメンテーションが適用され得、したがって、ＶｏＩＰパケットは、いくつかのＴＴＩ中で送信され得る。たとえば、ＶｏＩＰパケットは、４つの無線リンク制御（ＲＬＣ：radio link control）プロトコルデータユニット（ＰＤＵ：protocol data unit）にセグメント化され得、これは、４つの連続するＴＴＩ中で送信され得る。そのような場合、２つまたは３つのＨＡＲＱ再送信が、十分なカバレージを達成するためにターゲッティングされ得る。しかしながら、この手法は、いくつかの欠点を提示し得る。
【００５６】
[0075]たとえば、各追加のＬ２セグメントは、追加のオーバーヘッド、１バイトのＲＬＣと、１バイトの媒体アクセス制御（ＭＡＣ：media access control）と、３バイトのレイヤ３（Ｌ３）巡回冗長検査（ＣＲＣ：cyclic redundancy check）オーバーヘッドと、をもたらす。したがって、３３バイトのＲＬＣサービスデータユニット（ＳＤＵ：service data unit）を仮定すると、１５％のオーバーヘッドが追加され得る。したがって、ＶｏＩＰパケットの４つのセグメントの場合、４５％の追加のＬ１／Ｌ２オーバーヘッドがあり得る。さらに、セグメントごとのＨＡＲＱ送信／再送信は、物理ダウンリンク制御チャネル（ＰＤＣＣＨ）上での許可（grant）を必要とし得、これは、有意のＰＤＣＣＨリソースを消費し得る。
【００５７】
[0076]さらに、各ＨＡＲＱ送信または再送信の後に、ＰＨＩＣＨ上で物理ＨＡＲＱに対するＨＡＲＱフィードバックが続く。確認応答（ＡＣＫ）に対する否定確認応答（ＮＡＣＫ）の誤り比率１０-3を仮定すると、多数のＨＡＲＱフィードバック信号が、高いパケット損失の確率をもたらし得る。たとえば、１２個のＨＡＲＱフィードバック信号が送られる場合、ＨＡＲＱフィードバック誤り比率は、１．２ｘ１０-2程度であり得るが、１０-2以上のパケット損失率は、ＶｏＩＰトラフィックでは許容できないことがある。
【００５８】
[0077]これらの問題に鑑みて、ＴＴＩバンドル３０５ごとに単一のアップリンク許可と単一のＰＨＩＣＨ信号とを可能にするＴＴＩバンドリングが有利であり得る。さらに、Ｌ２セグメンテーションが回避され得るので、Ｌ１／Ｌ２オーバーヘッドが最小化され得る。
【００５９】
[0078]さらに、ＴＴＩバンドリングによって、ＵＥ１１５の有意のカバレージ拡張が可能になり得る。大きいＴＴＩバンドリング長さ３０７は、大きいカバレージ拡張を与えるのに役立ち得る。たとえば、１００個のサブフレーム程度のＴＴＩバンドリングは、（たとえば、２０ｄＢ程度の）大きいアップリンクカバレージ拡張を与えるのに役立ち、場合によって、ダウンリンクカバレージ拡張についても役立ち得る。
【００６０】
[0079]しかしながら、これらの利益にもかかわらず、大きいＴＴＩバンドリングは、システム１００および２００内のデバイスに追加の問題をもたらすことがある。大きいＴＴＩバンドリングの場合、低複雑なＵＥ１１５のための制御ベースのデータ送信は非効率的であり得る。たとえば、１００個のサブフレームのＰＤＳＣＨ送信をスケジュールする１００個のサブフレームの制御送信は、オーバーヘッドの非効率をもたらし得る。ＰＤＳＣＨのためのペイロードサイズが、たとえば、ＰＤＣＣＨまたはＥＰＤＣＣＨに対して小さい場合、そのような非効率が理解され得る。たとえば、１００ビットよりも小さいＰＤＳＣＨをスケジュールする約４０ビットのＰＤＣＣＨまたはＥＰＤＣＣＨサイズは、バンドルされたときのそのような送信を受信し、復号するために使用される比較的多いパワーのために、リソースの非効率的な使用を生じ得る。さらに、いくつかのカバレージ拡張シナリオでは、ＰＤＳＣＨトランスポートブロックは、小さくなることが予期され得る。たとえば、ＰＤＳＣＨ（またはＰＵＳＣＨ）サイズは、いくつかのＭＴＣ  ＵＥ１１５について数十〜数百のビットの範囲にあり得る。
【００６１】
[0080]そのような場合、様々なカバレージ拡張技法および／またはチャネル関連付け（association）を認識すること、ならびにシステム内のデバイスを相応して動作させることが有益であり得る。様々な符号化方式を利用することおよび／または制御ベースの送信と無制御の送信との組合せを採用することは、非効率を減少または回避し得、より低いＵＥ複雑さの埋込みを可能にし得る。
【００６２】
[0081]システム１００および２００のいくつかの例では、基地局１０５および／またはＵＥ１１５は、しきい値に依存する（threshold-dependent）ＰＤＳＣＨまたはＰＵＳＣＨ符号化を採用する。たとえば、デバイスは、共有チャネル、たとえば、ＰＤＳＣＨまたはＰＵＳＣＨに関連する送信ＴＴＩバンドリング長さ３０７を識別し得る。言い換えれば、デバイスは、冗長バージョンのＰＤＳＣＨまたはＰＵＳＣＨをもつ、連続のまたは非連続のいくつかの数のサブフレームを識別し得る。デバイスは、識別されたＴＴＩバンドリング長さ３０７に完全にまたは部分的に基づいて共有チャネルのための符号化方式を決定し得る。
【００６３】
[0082]大きいＴＴＩバンドリング長さ３０７は、それらがターボコーディング方式を利用して符号化した場合、復号するのが困難であり得、および／または復号するのにコストがかかり得る。たとえば、大きいＴＴＩのバンドルされたＰＤＳＣＨを復号するための複数仮説復号（multiple-hypothesis decoding）は、時間リソースとパワーリソースとの両方で高価であり得る。ＴＴＩバンドリング長さ３０７を識別すると、（たとえば、ｅＮＢ１０５またはＵＥ１１５における）デバイスは、ＴＴＩバンドリング長さ３０７がしきい値以下であるときにはターボコーディング方式を選択することによって、ＴＴＩバンドリング長さ３０７がしきい値よりも大きいときには畳み込みコーディング方式を選択することによって、符号化方式を決定し得る。たとえば、１０個以下のＴＴＩバンドルサイズ３０７の場合、ＰＤＳＣＨまたはＰＵＳＣＨが、ターボコーディング方式で符号化され得、そうでない場合、ＰＤＳＣＨまたはＰＵＳＣＨは、畳み込みコーディング方式で符号化され得る。
【００６４】
[0083]追加または代替として、符号化方式は、他のファクタに基づいて決定され得る。図３Ｂおよび図３Ｃに、本開示の様々な態様による、カバレージ拡張の下でのＵＥのための、制御チャネル関連付けを利用したリソース管理の例を示す。図３Ｂおよび図３Ｃに、システム１００または２００内の１キャリアの１フレームの例示的なＴＴＩ３０６および３０８を示す。ＴＴＩ３０６および３０８は、サブフレーム３０４であり得、これは、図３Ａのサブフレーム３０４の例であり得る。
【００６５】
[0084]ＴＴＩ３０６は、いくつかのチャネルを含み得、これは、ＴＴＩ３０６の別個の領域中にあり得る。ＴＴＩ３０６は、たとえば、ＰＤＣＣＨ（またはＥＰＤＣＣＨ）３０９とＰＤＳＣＨ３１１とを含み得る。いくつかの例では、ＰＤＣＣＨ（またはＥＰＤＣＣＨ）３０９は、ＰＤＳＣＨ３１１に関連付けられる。たとえば、ＰＤＣＣＨ（またはＥＰＤＣＣＨ）３０９は、ＰＤＳＣＨ３１１のリソースをスケジュールし得る。ＴＴＩ３０８は、ＰＤＳＣＨ３１３を含むいくつかのチャネルを含み得、これは、制御チャネルに関連付けされないことがある。ＰＤＳＣＨ３１３は、たとえば、ＴＴＩ３０８内にＰＤＣＣＨ（またはＥＰＤＣＣＨ）によってスケジュールされないことがある。
【００６６】
[0085]いくつかの例では、基地局１０５および／またはＵＥ１１５は、しきい値に依存する符号化を採用する。したがって、デバイスは、共有チャネルと制御チャネルとの間の関連付け（association）を決定し得る。たとえば、ＴＴＩ３０６を受信するデバイスは、ＰＤＳＣＨ３１１とＰＤＣＣＨ（またはＥＰＤＣＣＨ）３０９との間の関連付けを決定し得るが、ＴＴＩ３０８を受信するデバイスは、ＰＤＳＣＨ３１３に制御関連付けが存在しないと決定し得る。したがって、共有チャネルと制御チャネルとの間の関連付けを決定することは、共有チャネルと制御チャネルとの間に関連付けが存在すると認識すること、または共有チャネルと制御チャネルと間に関連付けが存在しないと認識することを含み得る。
【００６７】
[0086]次いで、共有チャネルのための符号化方式が、共有チャネルと制御チャネルとの間の決定された関連付けに基づいて決定され得る。共有チャネルのための符号化方式を決定することは、制御チャネルと共有チャネルとの間に関連付けが存在すると認識するとターボコーディング方式を選択すること、または制御チャネルと共有チャネルとの間に関連付けが存在しないと認識すると畳み込みコーディング方式を選択することを含み得る。場合によっては、上記で説明したように、ＴＴＩバンドリング長さの決定と、制御チャネルと共有チャネルとの間の関連付けまたはそれの欠如の決定の両方が、符号化方式を決定するために利用され得る。
【００６８】
[0087]またさらなる例では、送信ブロックサイズ（ＴＢＳ）は、しきい値に依存する符号化のための追加または代替のファクタである。図３Ｄに、本開示の様々な態様による、カバレージ拡張の下でのＵＥのための、ＴＢＳを利用したリソース管理の一例を示す。図３Ｄに、図１および図２を参照しながら説明したシステム１００または２００内のキャリアのフレーム構造３０２−ａの一例を示す。図３Ｄに、図３Ａと同じように、システム１００または２００中の通信リンク１２５のために利用されるワイヤレスキャリアのフレーム構造を示し得る。フレーム構造３０２−ａは、図３Ａを参照しながら上記で説明したフレーム構造３０２の一例であり得る。
【００６９】
[0088]サブフレーム３０４は、ＭＡＣヘッダを含むトランスポートブロック３１５を含み得る。トランスポートブロック３１５のペイロードは、ＲＬＣヘッダを含むＲＬＣ  ＰＤＵ３１７を含み得る。ＲＬＣ  ＰＤＵ３１７のペイロードは、ＰＤＣＰヘッダを含むパケットデータコンバージェンスプロトコル（ＰＤＣＰ：packet data convergence protocol）ＰＤＵ３１９を含み得る。また、ＰＤＣＰ  ＰＤＵ３１９のペイロードは、ＩＰヘッダを含むＩＰパケット３２１を含み得る。いくつかの例では、ＲＬＣ  ＰＤＵ３１７および／またはトランスポートブロック３１５は、ペイロードとヘッダとに加えてパディングを含む。したがって、ＴＢＳは、トランスポートブロック３１５のペイロードのサイズに従って変動し得、これは、他のレイヤからの連結またはセグメント化されたＰＤＵのサイズに従って変動し得る。トランスポートブロック３１５は、共有チャネル（たとえば、ＰＤＳＣＨまたはＰＵＳＣＨ）のトランスポートブロック３１５であり得る。
【００７０】
[0089]いくつかの例では、ＴＢＳは、いくつかのＭＴＣ  ＵＥ１１５と通信するためのような１００ビット以下程度の小さいものである。他の場合には、ＴＢＳは、極めて大きいものである。しきい値に依存する符号化は、ＴＢＳにある程度は基づき得る。たとえば、デバイス（たとえば、ｅＮＢ１０５またはＵＥ１１５）は、共有チャネルのＴＢＳを識別し得る。識別されたＴＢＳは、符号化方式を決定するために利用され得る。たとえば、ＴＢＳが１００ビット以下である場合、ＰＤＳＣＨまたはＰＵＳＣＨのために畳み込みコーディングが利用され得、そうでない場合、ＰＤＳＣＨまたはＰＵＳＣＨのためにターボコーディングが利用され得る。ＴＢＳは、上記で説明したＴＴＩバンドリング長さおよび／または制御チャネルの関連付けに加えて符号化方式を決定するためのファクタとして使用され得る。
【００７１】
[0090]しきい値に依存する符号化は、追加または代替として、他のファクタに依存し得る。たとえば、しきい値は、送信に関連するリソースの量の形態であり得る。送信が、１つまたは２つのリソースブロック（ＲＢ）に割り当てられる場合、畳み込み符号化が決定され得、送信が、３つ以上のＲＢに割り当てられる場合、ターボ符号化が決定され得る。他の例では、しきい値は、変調およびコーディング方式（ＭＣＳ：modulation and coding scheme）またはインデックスの形態であり得る。送信が、ＱＰＳＫに関連付けられる場合、畳み込み符号化が決定され得、送信が、直交振幅変調（ＱＡＭ：quadrature amplitude modulation）、たとえば、１６ＱＡＭ以上に関連付けられる場合、ターボ符号化が決定され得る。
【００７２】
[0091]さらに、しきい値に依存する符号化選択は、他の物理レイヤパラメータと組み合わされ得る。たとえば、畳み込み符号化方式が決定される場合、ＱＰＳＫ変調が常に仮定され得、ターボ符号化方式が決定される場合、変調方式は、ＱＰＳＫ、１６ＱＡＭ、６４ＱＡＭなどであり得るシグナリングに基づいて決定され得る。
【００７３】
[0092]様々なデバイスは、イネーブルにされた、またはディセーブルにされたしきい値に依存する符号化選択モードを有し得る。たとえば、ＵＥ１１５または基地局１０５がしきい値に依存する符号化方式を採用するかどうかは、符号化方式選択モードがＵＥ１１５のためにイネーブルにされるのか、基地局１０５のためにイネーブルにされるのかに基づき得る。そのようなイネーブルにすることは、上位レイヤシグナリングを介したものであり得る。デバイス（たとえば、ｅＮＢ１０５またはＵＥ１１５）はまた、決定された符号化方式に基づいて復号方式を利用し得る。言い換えれば、デバイスは、受信された信号がどのように符号化されたのかを決定することに基づいて、信号がどのように符号化されたのかを示す追加のシグナリングなしに、様々な復号方法を採用し得る
[0093]本明細書で説明するターボコーディングおよび畳み込みコーディングが、単に、誤り訂正のために実装され得る例示的な符号化技法であることを当業者は認識されよう。他の符号化方式も利用され得る。たとえば、異なるまたは追加のしきい値ＴＴＩバンドリング長さに基づいて低密度パリティチェック（ＬＤＰＣ）が採用され得る。
【００７４】
[0094]次に図４を参照すると、本開示の様々な態様による、カバレージ拡張の下でのＵＥのためのリソース管理のために構成されたデバイス４００のブロック図が示されている。デバイス４００は、図１〜図３に関して説明した基地局１０５および／またはＵＥ１１５の１つまたは複数の態様の一例であり得る。デバイス４００は、受信機４０５、符号化選択モジュール４１０、および／または送信機４１５を含み得る。デバイス４００はまた、プロセッサを含み得る。これらの構成要素の各々は互いに通信していることがある。
【００７５】
[0095]受信機４０５は、上記で説明したようにバンドルされ得る、パケット、ユーザデータ、および／または様々な情報チャネル（たとえば、制御チャネル、データチャネルなど）に関連する制御情報などの情報を受信するように構成され得る。情報は、符号化選択モジュール４１０に、およびデバイス４００の他の構成要素に伝えられ得る。
【００７６】
[0096]符号化選択モジュール４１０は、共有チャネルに関連するＴＴＩバンドリング長さを識別するように構成され得る。追加または代替として、符号化選択モジュール４１０は、共有チャネルと制御チャネルとの間の関連付け（association）を決定するように構成され得る。また、符号化選択モジュール４１０は、共有チャネルの識別されたＴＴＩバンドリング長さ、共有チャネルと制御チャネルとの間の決定された関連付け、またはその両方に基づいて共有チャネルのための符号化方式を決定するように構成され得る。
【００７７】
[0097]送信機４１５は、デバイス４００の他の構成要素から受信される１つまたは複数の信号を送信し得る。いくつかの実施形態では、送信機４１５は、トランシーバモジュールにおいて受信機４０５とコロケートされ得る。送信機４１５は単一のアンテナを含み得るか、またはそれは複数のアンテナを含み得る。
【００７８】
[0098]図５に、本開示の様々な態様による、カバレージ拡張の下でのＵＥのためのリソース管理のために構成されたデバイス５００のブロック図を示す。デバイス５００は、図１〜図４に関して説明したデバイス４００、基地局１０５、および／またはＵＥ１１５の１つまたは複数の態様の一例であり得る。デバイス４００は、受信機４０５−ａ、符号化選択モジュール４１０−ａ、および／または送信機４１５−ａを含み得る。デバイス５００はまた、プロセッサを含み得る。これらの構成要素の各々は互いに通信していることがある。符号化選択モジュール４１０−ａはまた、ＴＴＩバンドリング長さモジュール５０５と、チャネル関連付けモジュール５１０と、符号化方式決定モジュール５１５とを含み得る。
【００７９】
[0099]受信機４０５−ａは、符号化選択モジュール４１０−ａに、およびデバイス５００の他の構成要素に伝えられ得る情報を受信し得る。符号化選択モジュール４１０−ａは、図４を参照しながら上記で説明した符号化選択モジュール４１０の動作を実行するように構成され得る。送信機４１５−ａは、デバイス５００の他の構成要素から受信される１つまたは複数の信号を送信し得る
[0100]ＴＴＩバンドリング長さモジュール５０５は、図３Ａを参照しながら上記で説明したように、共有チャネルに関連するＴＴＩバンドリング長さを識別するように構成され得る。ＴＴＩバンドリング長さモジュール５０５は、たとえば、受信機４０５−ａによって受信された信号のＴＴＩバンドリング長さを識別し得る。
【００８０】
[0101]チャネル関連付けモジュール５１０は、図３Ｂおよび図３Ｃを参照しながら上記で説明したように、共有チャネルと制御チャネルとの間の関連付けを決定するように構成され得る。いくつかの例では、共有チャネルと制御チャネルとの間の関連付けを認識することは、共有チャネルと制御チャネルとの間に関連付けが存在すると認識すること、または共有チャネルと制御チャネルとの間に関連付けが存在しないと認識することを備える。
【００８１】
[0102]符号化方式決定モジュール５１５は、図３Ａ〜図３Ｄを参照しながら上記で説明したように、共有チャネルの識別されたＴＴＩバンドリング長さ、共有チャネルと制御チャネルとの間の決定された関連付け、またはＴＢＳに基づいて、共有チャネルのための符号化方式を決定するように構成され得る。符号化方式決定モジュール５１５はまた、符号化選択モードをイネーブルにするように構成され得、したがって、符号化方式を決定することは、図３Ａ〜図３Ｄを参照しながら上記で説明したように、イネーブルにされた符号化選択モードに少なくとも部分的に基づき得る。いくつかの例では、符号化方式選択モードは、受信機４０５−ａによって受信され、符号化選択モジュール４１０−ａに通信される専用シグナリングによってイネーブルにされ得る。
【００８２】
[0103]図６に、本開示の様々な態様による、カバレージ拡張の下でのＵＥのためのリソース管理のために構成された符号化選択モジュール４１０−ｂのブロック図６００を示す。符号化選択モジュール４１０−ｂは、図４および図５を参照しながら説明した符号化選択モジュール４１０の１つまたは複数の態様の一例であり得る。符号化選択モジュール４１０−ｂは、ＴＴＩバンドリング長さモジュール５０５−ａと、チャネル関連付けモジュール５１０−ａと、符号化方式決定モジュール５１５−ａとを含み得る。これらのモジュールの各々は、図５を参照しながら上記で説明した機能を実行し得る。符号化選択モジュール４１０−ｂはまた、ＴＢＳモジュール６０５と、ターボコードモジュール６１０と、畳み込みコードモジュール６１５と、復号モジュール６２０とを含み得る。
【００８３】
[0104]ＴＢＳモジュール６０５は、共有チャネルのＴＢＳを識別するように構成され得、したがって、符号化方式を決定することは、図３Ｄを参照しながら上記で説明したように、識別されたＴＢＳに基づき得る。
【００８４】
[0105]ターボコードモジュール６１０は、図３Ａを参照しながら上記で説明したように、ＴＴＩバンドリング長さがしきい値以下であるときにはターボコーディング方式を選択するように構成され得る。追加または代替として、ターボコードモジュール６１０は、図３Ｂおよび図３Ｃを参照しながら上記で説明したように、制御チャネルと共有チャネルとの間に関連付けが存在すると認識するとターボコーディング方式を選択するように構成され得る。
【００８５】
[0106]畳み込みコードモジュール６１５は、図３Ａを参照しながら上記で説明したように、ＴＴＩバンドリング長さがしきい値よりも大きいときには畳み込みコーディング方式を選択するように構成され得る。追加または代替として、畳み込みコードモジュール６１５は、図３Ｂおよび図３Ｃを参照しながら上記で説明したように、制御チャネルと共有チャネルとの間に関連付けが存在しないと認識すると畳み込みコーディング方式を選択するように構成され得る。
【００８６】
[0107]いくつかの例では、復号モジュール６２０は、図３Ａ〜図３Ｄを参照しながら上記で説明したように、決定された符号化方式に基づいて復号方式を利用するように構成され得る。
【００８７】
[0108]デバイス４００、４１０−ｂ、および５００の構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００８８】
[0109]図７に、本開示の様々な態様による、カバレージ拡張の下でのＵＥのためのリソース管理のために構成されたシステム７００の図を示す。システム７００は、図１〜図６を参照しながら説明したＵＥ１１５またはデバイス４００および５００の一例であり得る、ＵＥ１１５−ｃを含み得る。ＵＥ１１５−ｃは、図４〜図６を参照しながら説明した符号化選択モジュール４１０の一例であり得る、符号化選択モジュール７１０を含み得る。いくつかの例では、ＵＥ１１５−ｃは、ＭＴＣデバイスなどの低複雑なＵＥ１１５である。他の場合には、ＵＥ１１５−ｃは、通信を送信するための構成要素と通信を受信するための構成要素とを含む、双方向ボイスおよびデータ通信のための構成要素を含む。
【００８９】
[0110]ＵＥ１１５−ｃは、プロセッサモジュール７０５と、（ソフトウェア（ＳＷ）７２０を含む）メモリ７１５と、トランシーバモジュール７３５と、１つまたは複数のアンテナ７４０とを含み得、これは、それぞれ（たとえば、１つまたは複数のバス７４５を介して）互いに直接または間接的に通信し得る。トランシーバモジュール７３５は、上記で説明したように、アンテナ７４０、および／または１つもしくは複数のワイヤードもしくはワイヤレスリンクを介して、１つまたは複数のネットワークと双方向に通信するように構成され得る。たとえば、トランシーバモジュール７３５は、基地局１０５−ｂと双方向に通信するように構成され得る。トランシーバモジュール７３５は、パケットを変調し、変調されたパケットを送信のためにアンテナ７４０に与え、アンテナ７４０から受信されたパケットを復調するように構成されたモデムを含み得る。ＵＥ１１５−ｃは単一のアンテナ７４０を含み得るが、ＵＥ１１５−ｃはまた、複数のワイヤレス送信を同時に送信および／または受信することが可能な複数のアンテナ７４０を有し得る。トランシーバモジュール７３５はまた、１つまたは複数の基地局１０５および／またはＵＥ１１５と同時に通信することが可能であり得る。
【００９０】
[0111]メモリ７１５は、ランダムアクセスメモリ（ＲＡＭ）と読取り専用メモリ（ＲＯＭ）とを含み得る。メモリ７１５は、実行されたとき、プロセッサ７０５に、本明細書で説明する様々な機能（たとえば、ＴＴＩバンドリング長さを識別すること、制御データチャネル関連付けを決定すること、ＴＢＳを決定すること、符号化方式を決定することなど）を実行させるように構成された命令を含むコンピュータ可読、コンピュータ実行可能ソフトウェア／ファームウェアコード７２０を記憶し得る。代替的に、ソフトウェア／ファームウェアコード７２０は、プロセッサ７０５によって直接に実行可能ではないことがあるが、（たとえば、コンパイルされ実行されたとき）コンピュータに、本明細書で説明する機能を実行させるように構成され得る。プロセッサ７０５は、インテリジェントなハードウェアデバイス、たとえば、中央処理ユニット（ＣＰＵ）、マイクロコントローラ、ＡＳＩＣなどを含み得る。いくつかの例では、符号化選択モジュール７１０は、プロセッサ７０５のモジュールであり得る。
【００９１】
[0112]図８に、本開示の様々な態様による、カバレージ拡張の下でのＵＥのためのリソース管理のために構成されたシステム８００のブロック図を示す。システム８００は、基地局１０５−ｄを含む、基地局１０５を含み得、これは、図１〜図６を参照しながら上記で説明したように、基地局１０５ならびに／またはデバイス４００および５００の一例であり得る。
【００９２】
[0113]基地局１０５−ｄは、プロセッサ８０５、符号化選択モジュール８１０、（ソフトウェア（ＳＷ）８２０を含む）メモリ８１５、トランシーバ８３５、アンテナ８４０、基地局通信モジュール８４５、および／またはネットワーク通信モジュール８５０を含み得、これはそれぞれ、（たとえば、１つまたは複数のバスシステム８６０を介して）互いに直接または間接的に通信していることがある。符号化選択モジュール８１０は、図４〜図６を参照しながら説明した符号化選択モジュール４１０の例であり得る。
【００９３】
[0114]トランシーバ８３５は、カバレージ拡張の下で低複雑なＵＥ１１５（たとえば、ＭＴＣデバイス）であり得るＵＥ１１５と、アンテナ８４０を介して、双方向に通信するように構成され得る。トランシーバ８３５（および／または基地局１０５−ｄの他の構成要素）はまた、１つまたは複数の他の基地局１０５と、アンテナ８４０を介して双方向に通信するように構成され得る。トランシーバ８３０は、パケットを変調し、変調されたパケットを送信のためにアンテナ８４０に与え、アンテナ８４０から受信されたパケットを復調するように構成されたモデムを含み得る。基地局１０５−ｄは、各々が１つまたは複数の関連するアンテナ８４０をもつ複数のトランシーバ８３０を含み得る。トランシーバは、図４００および図５００の組み合わされた受信機４０５および送信機４１５の一例であり得る。
【００９４】
[0115]メモリ８１５は、ランダムアクセスメモリ（ＲＡＭ）および読取り専用メモリ（ＲＯＭ）を含み得る。メモリ８１５はまた、実行されたとき、プロセッサ８０５に、本明細書で説明する様々な機能（たとえば、ＴＴＩバンドリング長さを識別すること、制御データチャネル関連付けを決定すること、ＴＢＳを決定すること、符号化方式を決定することなど）を実行させるように構成された命令を含んでいるコンピュータ可読、コンピュータ実行可能ソフトウェアコード８２０を記憶し得る。代替的に、ソフトウェア８２０は、プロセッサ８０５によって直接的に実行可能でないことがあるが、たとえば、コンパイルされ実行されたとき、本明細書で説明する機能をコンピュータに実行させるように構成され得る。
【００９５】
[0116]プロセッサ８０５は、インテリジェントハードウェアデバイス、たとえば、中央処理ユニット（ＣＰＵ）、マイクロコントローラ、特定用途向け集積回路（ＡＳＩＣ）などを含み得る。プロセッサ８０５は、エンコーダ、キュー処理モジュール、ベースバンドプロセッサ、無線ヘッドコントローラ、デジタル信号プロセッサ（ＤＳＰ）など、様々な専用プロセッサを含み得る。いくつかの例では、符号化選択モジュール８１０は、プロセッサ８０５内のモジュールであり得る。
【００９６】
[0117]場合によっては、基地局１０５−ｄは、１つまたは複数のワイヤードバックホールリンクを有し得る。基地局１０５−ｄは、コアネットワーク１３０−ａまでのワイヤードバックホールリンク（たとえば、Ｓ１インターフェースなど）を有し得る。基地局１０５−ｄはまた、基地局間通信リンク（たとえば、Ｘ２インターフェースなど）を介して基地局１０５−ｍおよび基地局１０５−ｎなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール８４５を利用して１０５−ｍおよび／または１０５−ｎなどの他の基地局と通信し得る。いくつかの実施形態では、基地局通信モジュール８４５は、基地局１０５のいくつかの間の通信を行うために、ＬＴＥ／ＬＴＥ−Ａワイヤレス通信ネットワーク技術内でＸ２インターフェースを提供し得る。場合によっては、基地局１０５−ｄは、コアネットワーク１３０−ａを通して他の基地局と通信する。追加または代替として、基地局１０５−ｄは、ネットワーク通信モジュール８５０を通してコアネットワーク１３０と通信し得る。
【００９７】
[0118]図９に、本開示の様々な態様による、カバレージ拡張の下でのＵＥのためのリソース管理のための方法を示すフローチャート９００を示す。フローチャート９００の機能は、図１〜図８を参照しながら説明したように、基地局１０５もしくはＵＥ１１５、または１つもしくは複数の構成要素によって実装され得る。いくつかの例では、フローチャート９００のブロックのうちの１つまたは複数は、図４〜図８を参照しながら説明したように、符号化選択モジュールによって実行され得る。
【００９８】
[0119]ブロック９０５において、本方法は、図３Ａを参照しながら上記で説明したように、共有チャネルに関連するＴＴＩバンドリング長さを識別することを含み得る。いくつかの例では、ブロック９０５の機能は、図５を参照しながら上記で説明したように、ＴＴＩバンドリング長さモジュール５０５によって実行され得る。
【００９９】
[0120]ブロック９１０において、本方法は、図３Ｂおよび図３Ｃを参照しながら上記で説明したように、共有チャネルと制御チャネルとの間の関連付けを決定することを含み得る。いくつかの例では、ブロック９１０の機能は、図５を参照しながら上記で説明したように、チャネル関連付けモジュール５１０によって実行され得る。
【０１００】
[0121]ブロック９１５において、本方法は、図３Ａ〜図３Ｄを参照しながら上記で説明したように、共有チャネルの識別されたＴＴＩバンドリング長さまたは共有チャネルと制御チャネルとの間の決定された関連付けに少なくとも部分的に基づいて共有チャネルのための符号化方式を決定することを含み得る。いくつかの例では、ブロック９１５の機能は、図５を参照しながら上記で説明したように、符号化方式決定モジュール５１５によって実行され得る。
【０１０１】
[0122]図１０に、本開示の様々な態様による、カバレージ拡張の下でのＵＥのためのリソース管理のための方法を示すフローチャート１０００を示す。フローチャート１０００の機能は、図１〜図８を参照しながら説明したように、基地局１０５および／もしくはＵＥ１１５、または１つもしくは複数の構成要素によって実装され得る。いくつかの例では、フローチャート１０００のブロックの動作のうちの１つまたは複数は、図４〜図８を参照しながら説明したように、符号化選択モジュール４１０、７１０、または８１０によって実行され得る。フローチャート１０００において説明する方法はまた、図９のフローチャート９００の態様を組み込み得る。
【０１０２】
[0123]ブロック１００５において、本方法は、図３Ａを参照しながら上記で説明したように、共有チャネルに関連するＴＴＩバンドリング長さを識別することを含み得る。いくつかの例では、ブロック１００５の機能は、図５を参照しながら上記で説明したように、ＴＴＩバンドリング長さモジュール５０５によって実行され得る。
【０１０３】
[0124]ブロック１０１０において、本方法は、図３Ｂおよび図３Ｃを参照しながら上記で説明したように、共有チャネルと制御チャネルとの間の関連付けを決定することを含み得る。いくつかの例では、ブロック１０１０の機能は、図５を参照しながら上記で説明したように、チャネル関連付けモジュール５１０によって実行され得る。
【０１０４】
[0125]ブロック１０１５において、本方法は、共有チャネルのＴＢＳを識別することを含み得、ここで、符号化方式を決定することは、図３Ｄを参照しながら上記で説明したように、識別されたＴＢＳに少なくとも部分的に基づき得る。いくつかの例では、ブロック１０１５の機能は、図６を参照しながら上記で説明したように、ＴＢＳモジュール６０５によって実行され得る。
【０１０５】
[0126]ブロック１０２０において、本方法は、図３Ａ〜図３Ｄを参照しながら上記で説明したように、共有チャネルの識別されたＴＴＩバンドリング長さ、または共有チャネルと制御チャネルとの間の決定された関連付けに少なくとも部分的に基づいて、共有チャネルのための符号化方式を決定することを含み得る。いくつかの例では、ブロック１０２０の機能は、図５を参照しながら上記で説明したように、符号化方式決定モジュール５１５によって実行され得る。
【０１０６】
[0127]図１１に、本開示の様々な態様による、カバレージ拡張の下でのＵＥのためのリソース管理のための方法を示すフローチャート１１００を示す。フローチャート１１００の機能は、図１〜図８を参照しながら説明したように、基地局１０５および／もしくはＵＥ１１５、または１つもしくは複数の構成要素によって実装され得る。いくつかの例では、フローチャート１１００のブロックのうちの１つまたは複数は、図４〜図８を参照しながら説明したように、符号化選択モジュール４１０、７１０、または８１０によって実行され得る。フローチャート１１００において説明する方法はまた、図８〜図９のフローチャート８００〜９００の態様を組み込み得る。
【０１０７】
[0128]ブロック１１０５において、両方は、符号化選択モードをイネーブルにし得、ここにおいて、符号化方式を決定することは、図５を参照しながら上記で説明したように、イネーブルにされた符号化選択モードに少なくとも部分的に基づく。いくつかの例では、ブロック１１０５の機能は、図５を参照しながら上記で説明したように、符号化方式決定モジュール５１５によって実行され得る。
【０１０８】
[0129]ブロック１１１０において、本方法は、図３Ａを参照しながら上記で説明したように、共有チャネルに関連するＴＴＩバンドリング長さを識別することを含み得る。いくつかの例では、ブロック１１０５の機能は、図５を参照しながら上記で説明したように、ＴＴＩバンドリング長さモジュール５０５によって実行され得る。
【０１０９】
[0130]ブロック１１１５において、本方法は、図３Ｂおよび図３Ｃを参照しながら上記で説明したように、共有チャネルと制御チャネルとの間の関連付けを決定することを含み得る。いくつかの例では、ブロック１１１０の機能は、図５を参照しながら上記で説明したように、チャネル関連付けモジュール５１０によって実行され得る。
【０１１０】
[0131]ブロック１１２０において、本方法は、図３Ａ〜図３Ｄを参照しながら上記で説明したように、共有チャネルの識別されたＴＴＩバンドリング長さ、または共有チャネルと制御チャネルとの間の決定された関連付けに少なくとも部分的に基づいて、共有チャネルのための符号化方式を決定することを伴い得る。いくつかの例では、ブロック１１２０の機能は、図５を参照しながら上記で説明したように、符号化方式決定モジュール５１５によって実行され得る。
【０１１１】
[0132]ブロック１１２５において、本方法は、図３Ａ〜図３Ｄを参照しながら上記で説明したように、決定された符号化方式に基づいて復号方式を利用することを伴い得る。いくつかの例では、ブロック１１２５の機能は、図６を参照しながら上記で説明したように、復号モジュール６２０によって実行され得る。
【０１１２】
[0133]フローチャート９００、１０００、および１１００に記載されている方法は例示的な実装形態にすぎないこと、ならびに本方法の動作、およびその中のステップは、他の実装形態が可能であるように、並べ替えられ得るかまたは他の方法で変更され得ることに留意されたい。
【０１１３】
[0134]次に図１２を参照すると、本開示の様々な態様による、カバレージ拡張の下でのＵＥのための、制御ベースのデータの監視と無制御のデータの監視とを利用するリソース管理の例が示されている。図１２に、システム１００または２００内のキャリアの例示的なフレーム構造１２００を示す。図３Ａを参照しながら上記で説明したように、キャリアのための時間リソースは、フレーム１２０５と呼ばれる１０ミリ秒（ｍｓ）の期間に分割され得る。フレーム１２０５は、１０個の１ｍｓのサブフレーム１２１０にさらに分割され得る。サブフレーム１２１０は、さらに、２つの０．５ｍｓのスロット１２１５に分割され得、各スロット１２１５は、いくつかのシンボル期間１２２０に分割され得る。たとえば、スロット１２１５は、７つのシンボル期間１２２０に分割され得る。
【０１１４】
[0135]周波数リソースは、サブキャリア１２２５に分割され得る。隣接するサブキャリア１２２５間の間隔は固定であり得、サブキャリアの総数（Ｋ）は、システム帯域幅に依存し得る。たとえば、１．４、３、５、１０、１５、または２０メガヘルツ（ＭＨｚ）の対応するシステム帯域幅（ガードバンドをもつ）に対して、１５キロヘルツ（ＫＨｚ）のサブキャリア間隔で、Ｋは、７２、１８０、３００、６００、９００、または１２００にそれぞれ等しくなり得る。システム帯域幅はまた、サブバンドに区分され得る。たとえば、サブバンドは１．０８ＭＨｚをカバーし得、１つ、２つ、４つ、８つまたは１６個のサブバンドがあり得る。
【０１１５】
[0136]１つのシンボル期間１２２０ごとの１つの周波数サブキャリア１２２５が、単一のリソース要素１２３０になり、これが単一の変調シンボルで変調され得る。変調シンボルは、変調および符号化方式（ＭＣＳ）によって決まるいくつかのビットのデータを含んだ波形であり得る。場合によっては、いくつかの制御チャネル要素（ＣＣＥ）は、図２を参照しながら上記で説明したように、探索空間１２６０に構成され得、１つまたは複数の制御チャネルおよび／またはデータチャネルからの情報を送るために使用され得る。キャリアは、ＰＤＳＣＨ１２４０、ＰＤＣＣＨ１２４５、および／またはＰＢＣＨ１２５０などのいくつかのチャネルを送信するために指定されたいくつかの領域を有し得、各チャネルは、制御ベースのデータのチャネル監視と無制御のデータのチャネル監視とを容易にするために共通および／またはＵＥ固有の探索空間１２６０を含み得る。
【０１１６】
[0137]いくつかの例では、ＵＥ１１５または基地局１０５（図１および図２）は、同時に、または、異なる構成において無制御のデータと制御ベースのデータとの両方（たとえば、ＰＤＳＣＨ／ＰＵＳＣＨ）の送信を監視する。２つのタイプのデータチャネル（たとえば、ＰＤＳＣＨ／ＰＵＳＣＨ）は、１つのキャリア内で送信され得る。上記で説明したように、制御ベースのデータは、関連付けられた制御チャネルによってスケジュールされ得る、一方、無制御のデータは、制御チャネルに関連付けられないことがあるが、ブラインド復号され得る。したがって、同時監視シナリオでは、ＵＥ１１５は、たとえば、ＰＤＣＣＨ１２４５領域内の探索空間１２６０を監視し、同時に、ＰＤＳＣＨ１２４０領域内の探索空間１２６０を監視し得る。追加または代替として、ＵＥ１１５は、ＰＢＣＨ１２５０領域内の探索空間１２６０を監視し得る。
【０１１７】
[0138]例として、ＵＥ１１５は、制御チャネル（たとえば、ＰＤＣＣＨまたはＥＰＤＣＣＨ）についてＴＴＩ１２１０中に第１の探索１２６０空間を監視し得、これは、対応するデータチャネルをスケジュールし得る。ＵＥ１１５は、いかなる制御チャネルにも関連付けされていないことがあるデータチャネルについてＴＴＩ１２１０中に第２の探索空間を監視し得る。ＵＥ１１５は、次いで、第１の探索空間１２６０から制御チャネルをブラインド復号し、第２の探索空間１２６０からデータチャネルをブラインド復号し得る。データチャネルは、畳み込みコーディング方式で符号化され得、これは、ブラインド復号を容易にし得る。場合によっては、ＵＥ１１５は、データ送信についていくつかの探索空間１２６０（たとえば、候補）を監視し得、いくつかの例では、すべてのチャネル、すなわち制御およびデータ、のためのブラインド復号の総数は、ある範囲内に維持され得る。この無制御の監視は、ＵＥ１１５（たとえば、ＭＴＣ）が、上記で説明したように、制御ベースの監視によるオーバーヘッドを回避することを可能にし得る。
【０１１８】
[0139]無制御のデータと制御ベースのデータとの同時の監視は、構成依存であり得る。たとえば、ＵＥ１１５は、ＵＥのための無関連のデータ監視モードでイネーブルにされ得、ここで、無制御のデータチャネルについて探索空間１２６０を監視することがイネーブルにされ得る。いくつかの例では、ＵＥ１１５は、無制御のデータがイネーブルにされるかどうかにかかわらず、制御ベースのデータを監視する、たとえば、ＰＤＣＣＨ／ＥＰＤＣＣＨについて共通探索空間１２６０を監視する。たとえば、ＵＥ１１５は、ＰＤＣＣＨについて共通探索空間１２６０を監視し得る。したがって、制御ベースの動作は、常に、共通探索空間に対してイネーブルにされ得る。追加または代替として、制御ベースの動作は、常に、いくつかのＵＥ１１５（たとえば、ＭＴＣ  ＵＥ１１５）のためのブロードキャストトラフィックのためにイネーブルにされ得る。したがって、ＰＢＣＨ１２５０領域内の探索空間１２６０は、他の無制御の動作にかかわらずいくつかのＵＥ１１５によって監視され得る。
【０１１９】
[0140]いくつかの例では、無制御の監視もしくは制御ベースの監視、またはその両方は、ＴＴＩバンドリング長さに依存し得る。図１３に、本開示の様々な態様による、カバレージ拡張の下でのＵＥのための、ＴＴＩバンドリングを利用したリソース管理の一例を示す。図１３に、図１および図２を参照しながら説明したシステム１００または２００内のキャリアのフレーム構造１３００を示す。フレーム構造１３００は、図３Ａ、図３Ｄ、および図１２を参照しながら説明したフレーム構造３０２および１２００と同様であり得る。
【０１２０】
[0141]フレーム構造１３００は、それぞれ、１０個のサブフレーム１３０４から構成されるいくつかのフレーム１３０３を含み得る。いくつかの例では、フレーム構造１３００は、フレーム構造タイプ１またはタイプ２であり得るＬＴＥキャリアを示し、ここで、各サブフレームは、持続時間が１ｍｓである。例示的なフレーム構造１３００では、システムフレーム番号（ＳＦＮ）０〜３が示されるが、当業者は、フレーム構造の他の部分への、ならびにシステム内の他のフレームおよびサブフレームへの一般的適用性この説明を認識されよう。
【０１２１】
[0142]ＵＥ１１５（図１および図２）は、バンドリング長さＮ１の１つの制御チャネル、および／または、バンドリング長さＮ２の第２の制御チャネル、および／または、あるバンドリング長さＮ３または複数の長さの無制御のデータチャネルを監視するように構成され得る。そのような場合、チャネルの各々は、畳み込み符号化され得る。
【０１２２】
[0143]いくつかの例では、フレーム構造１３００は、図示された様々な物理チャネルをもつ共通の時間リソースを表す。たとえば、フレーム構造１３００−ａは、バンドリング長さ３０７をもつ制御チャネル（たとえば、ＰＤＣＣＨ）ＴＴＩバンドル１３０５を示し得る。フレーム構造１３００−ｂは、バンドリング長さ１３１０をもつ異なる制御チャネル（たとえば、ＥＰＤＣＣＨ）ＴＴＩバンドル１３０８を示し得る。また、フレーム構造１３００−ｃは、バンドリング長さ１３１２をもつデータチャネル（たとえば、ＰＤＳＣＨ）ＴＴＩバンドル１３１１を示し得る。ＵＥ１１５は、サブフレーム１３０４を開始する３つすべてのチャネルを監視し得る。
【０１２３】
[0144]ＵＥ１１５は、制御チャネルＴＴＩバンドル１３０５のＴＴＩバンドリング長さ１３０７を識別し得る。ＵＥ１１５は、識別されたＴＴＩバンドリング長さ１３０７に基づいて探索空間１２６０（図１２）を監視することを決定し得る。識別されたＴＴＩバンドリング長さ１３０７は、共通探索空間またはデバイス固有の探索空間を示し得る。ＵＥ１１５は、ＴＴＩバンドリング長さ構成を示すシグナリングを受信し得、ここで、探索空間１２６０を監視することを決定することは、ＴＴＩバンドリング長さ構成に対応する識別されたＴＴＩバンドリング長さ１３０７に基づき得る。いくつかの例では、探索空間は、ＴＴＩバンドリング長さのセットに基づいて監視され得る。
【０１２４】
[0145]ＵＥ１１５は、第２の制御チャネルＴＴＩバンドル１３０８の第２のＴＴＩバンドリング長さ１３１０を識別し得る。ＵＥ１１５は、識別された第２のＴＴＩバンドリング長さ１３１０に基づいて第２の探索空間１２６０などの探索空間１２６０を監視することを決定し得る。識別された第２のＴＴＩバンドリング長さ１３１０は、デバイス固有の探索空間または共通探索空間を示し得る。ＵＥ１１５は、ＴＴＩバンドリング長さ構成を示すシグナリングを受信し得、ここで、探索空間１２６０を監視することを決定することは、ＴＴＩバンドリング長さ構成に対応する識別された第２のＴＴＩバンドリング長さ１３１０に基づき得る。いくつかの例では、探索空間は、ＴＴＩバンドリング長さのセットに基づいて監視され得る。時々、フレーム構造１３００−ａおよびフレーム構造１３００−ｂは、フレーム構造１３００−ｃのように、ＴＴＩ中に他のチャネルと周波数分割多重化され得る。第２のＴＴＩバンドリング長さ１３１０は、ＴＴＩバンドリング長さ１３０７とは異なり得る。
【０１２５】
[0146]ＵＥ１１５は、データチャネルＴＴＩバンドル１３１１の送信ＴＴＩバンドリング長さ１３１２を識別し得る。時々、データチャネルは、フレーム構造１３００−ａおよびフレーム構造１３００−ｂなど、制御チャネルのいずれにも関連付けされていない。ＵＥ１１５は、識別されたデータＴＴＩバンドリング長さ１３１２に基づいて、第３の探索空間１２６０などの別の探索空間１２６０を監視することを決定し得る。ＵＥ１１５は、データＴＴＩバンドリング長さ構成を示すシグナリングを受信し得、データについて探索空間１２６０を監視することを決定することは、ＴＴＩバンドリング長さ構成に対応する識別されたＴＴＩバンドリング長さ１３１２に基づき得る。いくつかの例では、ＵＥ１１５は、ＴＴＩバンドリング長さのセットに基づいて探索空間１２６０を監視することを決定する。たとえば、いくつかの数のデータチャネルのバンドル１３１１が指定された長さを有する場合、ＵＥ１１５は、特定の探索空間１２６０を監視し得る。いくつかの例では、データチャネルは、畳み込み符号化され得る。
【０１２６】
[0147]図１４に、本開示の様々な態様による、カバレージ拡張の下でのＵＥのためのリソース管理のために構成されたＵＥ１１５−ｇのブロック図１４００を示す。ＵＥ１１５−ｇは、図１〜図１３を参照しながら説明したＵＥ１１５の１つまたは複数の態様の一例であり得る。ＵＥ１１５−ｇは、受信機１４０５、探索空間監視モジュール１４１０、および／または送信機１４１５を含み得る。ＵＥ１１５−ｇはまた、プロセッサを含み得る。これらの構成要素の各々は互いに通信していることがある。
【０１２７】
[0148]受信機１４０５は、パケット、ユーザデータ、および／または様々な情報チャネル（たとえば、制御チャネル、データチャネルなど）に関連する制御情報などの情報を受信するように構成され得る。情報は、探索空間監視モジュール１４１０に、およびＵＥ１１５−ｇの他の構成要素に伝えられ得る。いくつかの例では、受信機１４０５は、ＴＴＩバンドリング長さ構成を示すシグナリングを受信するように構成され得、したがって、探索空間を監視することを決定することは、ＴＴＩバンドリング長さ構成に対応する識別されたＴＴＩバンドリング長さに基づき得る。
【０１２８】
[0149]探索空間監視モジュール１４１０は、制御チャネルについてＴＴＩ中に第１の探索空間を監視するように構成され得る。追加または代替として、探索空間監視モジュール１４１０は、データチャネルについてＴＴＩ中に第２の探索空間を監視するように構成され得る。
【０１２９】
[0150]送信機１４１５は、ＵＥ１１５−ｇの他の構成要素から受信された１つまたは複数の信号を送信するように構成され得る。いくつかの実施形態では、送信機１４１５は、トランシーバモジュール中で受信機１４０５とコロケート（collocate）され得る。送信機１４１５は単一のアンテナを含み得るか、またはそれは複数のアンテナを含み得る。
【０１３０】
[0151]図１５に、様々な実施形態による、カバレージ拡張の下でのＵＥのためのリソース管理のために構成されたＵＥ１１５−ｈのブロック図１５００を示す。ＵＥ１１５−ｈは、図１〜図１４を参照しながら説明したＵＥ１１５の１つまたは複数の態様の一例であり得る。ＵＥ１１５−ｈは、受信機１４０５−ａ、探索空間監視モジュール１４１０−ａ、および／または送信機１４１５−ａを含み得る。ＵＥ１１５−ｇはまた、プロセッサを含み得る。これらの構成要素の各々は互いに通信し得る。探索空間監視モジュール１４１０−ａはまた、制御監視モジュール１５０５とデータ監視モジュール１５１０とを含み得る。
【０１３１】
[0152]受信機１４０５−ａは、探索空間監視モジュール１４１０−ａに、およびＵＥ１１５−ｈの他の構成要素に伝えられ得る、構成された受信情報であり得る。探索空間監視モジュール１４１０−ａは、図１４を参照しながら上記で説明した動作を実行するように構成され得る。送信機１４１５−ａは、ＵＥ１１５−ｈの他の構成要素から受信された１つまたは複数の信号を送信するように構成され得る。
【０１３２】
[0153]制御監視モジュール１５０５は、図１２を参照しながら上記で説明したように、制御チャネルについてＴＴＩ中に第１の探索空間を監視するように構成され得る。いくつかの例では、第１の探索空間は、共通の探索空間である。制御監視モジュール１５０５はまた、図１２を参照しながら上記で説明したように、ＴＴＩ中にブロードキャスト送信に関連する探索空間を監視するように構成され得る。
【０１３３】
[0154]いくつかの例では、データ監視モジュール１５１０は、図１２を参照しながら上記で説明したように、データチャネルについてＴＴＩ中に第２の探索空間を監視するように構成される。データ監視モジュール１５１０はまた、ＵＥ１１５−ｈのための無関連のデータ監視モードをイネーブルにするように構成され得、ここで、第２の探索空間を監視することは、図１２を参照しながら上記で説明したように、イネーブルにされた無関連のデータ監視モードに基づき得る。
【０１３４】
[0155]図１６に、本開示の様々な態様による、カバレージ拡張の下でのＵＥのためのリソース管理のための探索空間監視モジュール１４１０−ｂのブロック図１６００を示す。探索空間監視モジュール１４１０−ｂは、図１４〜図１６を参照しながら説明した探索空間監視モジュール１４１０の１つまたは複数の態様の一例であり得る。探索空間監視モジュール１４１０−ｂは、制御監視モジュール１５０５−ａとデータ監視モジュール１５１０−ａとを含み得る。これらのモジュールは、図１６を参照しながら上記で説明した機能を実行し得る。探索空間監視モジュール１４１０−ｂはまた、制御デコーダモジュール１６０５と、データデコーダモジュール１６１０と、ＴＴＩバンドリングモジュール１６１５とを含み得る。
【０１３５】
[0156]場合によっては、制御デコーダモジュール１６０５は、図１２を参照しながら上記で説明したように、第１の探索空間から制御チャネルを復号するように構成される。いくつかの例では、制御チャネルは、ＰＤＣＣＨまたは拡張ＰＤＣＣＨ（ＥＰＤＣＣＨ）であり、これは、対応する共有チャネルをスケジュールする。
【０１３６】
[0157]データデコーダモジュール１６１０は、図１２を参照しながら上記で説明したように、第２の探索空間からデータチャネルを復号するように構成され得る。いくつかの例では、データチャネルは、いかなる制御チャネルにも関連付けされていないＰＤＳＣＨである。
【０１３７】
[0158]ＴＴＩバンドリングモジュール１６１５は、図１３を参照しながら上記で説明したように、制御チャネルの１つまたは複数のＴＴＩバンドリング長さを識別するように構成され得る。ＴＴＩバンドリングモジュール１６１５はまた、図１３を参照しながら上記で説明したように、１つまたは複数の識別されたＴＴＩバンドリング長さに基づいて第１の探索空間を監視すべきかどうかを決定するように、またはそれを監視するように構成され得る。ＴＴＩバンドリングモジュール１６１５はまた、図１３を参照しながら上記で説明したように、１つまたは複数の識別されたＴＴＩバンドリング長さに基づいて第２の探索空間を監視すべきかどうかを決定するように、またはそれを監視するように構成され得る。いくつかの例では、第１の探索空間または第２の探索空間は、複数のＴＴＩバンドリング長さに基づいて監視され得る。ＴＴＩバンドリングモジュール１６１５はまた、図１３を参照しながら上記で説明したように、データチャネルの１つまたは複数のＴＴＩバンドリング長さを識別するように構成され得る。ＴＴＩバンドリングモジュール１６１５はまた、図１３を参照しながら上記で説明したように、１つまたは複数の識別されたＴＴＩバンドリング長さに基づいて第３の探索空間を監視すべきかどうかを決定するように構成され得る。いくつかの例では、ＴＴＩバンドリングモジュール１６１５は、複数のＴＴＩバンドリング長さに基づいて探索空間を監視すべきかどうかを決定するように構成される。
【０１３８】
[0159]ＵＥ１１５−ｇ、ＵＥ１１５−ｈ、および／または探索空間監視モジュール１４１０の構成要素は、適用可能な機能の一部または全部をハードウェアで実行するように適応された少なくとも１つの特定用途向け集積回路（ＡＳＩＣ）を用いて、個々にまたはまとめて実装され得る。代替的に、それらの機能は、１つまたは複数の他の処理ユニット（またはコア）によって、少なくとも１つのＩＣ上で実行され得る。他の実施形態では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【０１３９】
[0160]図１７に、本開示の様々な態様による、カバレージ拡張の下でのＵＥのためのリソース管理のために構成されたシステム１７００の図を示す。システム１７００は、図１〜図１６を参照しながら説明したＵＥ１１５の一例であり得る、ＵＥ１１５−ｈを含み得る。ＵＥ１１５−Ｉは、図１４〜図１６を参照しながら説明した探索空間監視モジュールの一例であり得る、探索空間監視モジュール１７１０を含み得る。いくつかの例では、ＵＥ１１５−ｉは、メーターまたはセンサー中に展開され得るＭＴＣ  ＵＥ１１５などの低複雑なＵＥ１１５である。しかしながら、他の例では、ＵＥ１１５−ｇは、通信を送信するための構成要素と通信を受信するための構成要素とを含む、双方向ボイスおよびデータ通信のための構成要素を含み得る。
【０１４０】
[0161]ＵＥ１１５−ｉは、プロセッサ１７０５と、（ソフトウェア（ＳＷ）１７２０を含む）メモリ１７１５と、トランシーバ１７３５と、１つまたは複数のアンテナ１７４０とを含み得、これは、それぞれ（たとえば、１つまたは複数のバス１７４５を介して）互いに直接または間接的に通信し得る。トランシーバ１７３５は、上記で説明したように、アンテナ１７４０、および／または１つもしくは複数のワイヤードもしくはワイヤレスリンクを介して、様々なネットワークと双方向に通信するように構成され得る。たとえば、トランシーバ１７３５は、基地局１０５−ｅと双方向に通信するように構成され得る。トランシーバ１７３５は、パケットを変調し、変調されたパケットを送信のためにアンテナ１７４０に与え、アンテナ１７４０から受信されたパケットを復調するように構成されたモデムを含み得る。ＵＥ１１５−ｉは単一のアンテナ１７４０を含み得るが、ＵＥ１１５−ｉはまた、複数のワイヤレス送信を同時に送信および／または受信することが可能な複数のアンテナ１７４０を有し得る。トランシーバ１７３５はまた、１つまたは複数の基地局１０５と同時に通信することが可能であり得る。
【０１４１】
[0162]メモリ１７１５は、ランダムアクセスメモリ（ＲＡＭ）と読取り専用メモリ（ＲＯＭ）とを含み得る。メモリ１７１５は、実行されたとき、プロセッサモジュール１７０５に本明細書で説明する様々な機能（たとえば、制御チャネルおよび／またはデータチャネルについて探索空間を監視すること、制御チャネルおよび／またはデータチャネルをブラインド復号すること、ＴＴＩバンドリングを識別することなど）を実行させるように構成された命令を含む、コンピュータ可読、コンピュータ実行可能ソフトウェア／ファームウェアコード１７２０を記憶し得る。代替的に、ソフトウェア／ファームウェアコード１７２０は、プロセッサモジュール１７０５によって直接的に実行可能でないことがあるが、（たとえば、コンパイルされ実行されたとき）コンピュータに本明細書で説明する機能を実行させるように構成され得る。プロセッサ１７０５は、インテリジェントハードウェアデバイスを含み得、たとえば、中央処理ユニット（ＣＰＵ）、マイクロコントローラ、ＡＳＩＣなどは、ＲＡＭおよびＲＯＭを含み得る。いくつかの例では、探索空間監視モジュール１７１０は、プロセッサ１７０５のモジュールであり得る。
【０１４２】
[0163]図１８に、本開示の様々な態様による、カバレージ拡張の下でのＵＥのためのリソース管理のための方法を示すフローチャート１８００を示す。フローチャート１８００の機能は、図１〜図１７を参照しながら説明したように、ＵＥ１１５またはそれの構成要素のうちの１つもしくは複数によって実装され得る。いくつかの例では、フローチャート１８００のブロックのうちの１つまたは複数は、図１４〜図１７を参照しながら説明したように、探索空間監視モジュール１４１０または１７１０によって実行され得る。
【０１４３】
[0164]ブロック１８０５において、本方法は、図１２を参照しながら上記で説明したように、第１のチャネルについてＴＴＩ中に第１の探索空間を監視することを含み得る。第１のチャネルは、制御チャネルであり得る。いくつかの例では、ブロック１８０５の機能は、図１５を参照しながら上記で説明したように、制御監視モジュール１５０５によって実行され得る。
【０１４４】
[0165]ブロック１８１０において、本方法は、図１２を参照しながら上記で説明したように、第２のチャネルについてＴＴＩ中に第２の探索空間を監視することを含み得る。第２のチャネルは、データチャネルであり得る。いくつかの例では、ブロック１８１０の機能は、図１５を参照しながら上記で説明したように、データ監視モジュール１５１０によって実行され得る。
【０１４５】
[0166]図１９に、本開示の様々な態様による、カバレージ拡張の下でのＵＥのためのリソース管理のための方法を示すフローチャート１９００を示す。フローチャート１９００の機能は、図１〜図１７を参照しながら説明したように、ＵＥ１１５またはそれの構成要素のうちの１つもしくは複数によって実装され得る。いくつかの例では、フローチャート１９００のブロックのうちの１つまたは複数は、図１４〜図１７を参照しながら説明したように、探索空間監視モジュール１４１０または１７１０によって実行され得る。フローチャート１９００において説明する方法はまた、図１８のフローチャート１８００の態様を組み込み得る。
【０１４６】
[0167]ブロック１９０５において、本方法は、図１２を参照しながら上記で説明したように、制御チャネルについてＴＴＩ中に第１の探索空間を監視することを含み得る。いくつかの例では、ブロック１９０５の機能は、図１５を参照しながら上記で説明したように、制御監視モジュール１５０５によって実行され得る。
【０１４７】
[0168]ブロック１９１０において、本方法は、図１２を参照しながら上記で説明したように、制御チャネルまたはデータチャネルについてＴＴＩ中に第２の探索空間を監視することを含み得る。いくつかの例では、ブロック１９１０の機能は、図１５を参照しながら上記で説明したように、データ監視モジュール１５１０によって実行され得る。
【０１４８】
[0169]ブロック１９１５において、本方法は、図１２を参照しながら上記で説明したように、第１の探索空間から制御チャネルを復号することを含み得る。いくつかの例では、ブロック１９１５の機能は、図１６を参照しながら上記で説明したように、制御デコーダモジュール１６０５によって実行され得る。
【０１４９】
[0170]ブロック１９２０において、本方法は、図１２を参照しながら上記で説明したように、第２の探索空間から制御チャネルまたはデータチャネルを復号することを含み得る。いくつかの例では、ブロック１９２０の機能は、図１６を参照しながら上記で説明したように、データデコーダモジュール１６１０によって実行され得る。
【０１５０】
[0171]図２０に、本開示の様々な態様による、カバレージ拡張の下でのＵＥのためのリソース管理のための方法を示すフローチャート２０００を示す。フローチャート２０００の機能は、図１〜図１７を参照しながら説明したように、ＵＥ１１５またはそれの構成要素のうちの１つもしくは複数によって実装され得る。いくつかの例では、フローチャート２０００のブロックのうちの１つまたは複数は、図１４〜図１７を参照しながら説明したように、探索空間監視モジュール１４１０または１７１０によって実行され得る。フローチャート２０００において説明する方法はまた、図１８〜図１９のフローチャート１８００および１９００の態様を組み込み得る。
【０１５１】
[0172]ブロック２００５において、本方法は、図１２を参照しながら上記で説明したように、無関連のデータ監視モードをイネーブルにすることを含み得る。ブロック２００５の機能は、図１５を参照しながら説明したように、データ監視モジュール１５１０によって実行され得る。
【０１５２】
[0173]ブロック２０１０において、本方法は、図１２を参照しながら上記で説明したように、制御チャネルについてＴＴＩ中に第１の探索空間を監視することを含み得る。いくつかの例では、ブロック２０１０の機能は、図１５を参照しながら上記で説明したように、制御監視モジュール１５０５によって実行され得る。
【０１５３】
[0174]ブロック２０１５において、本方法は、図１２を参照しながら上記で説明したように、データチャネルについてＴＴＩ中に第２の探索空間を監視することを含み得る。いくつかの例では、ブロック２０１５の機能は、図１５を参照しながら上記で説明したように、データ監視モジュール１５１０によって実行され得る。
【０１５４】
[0175]ブロック２０２０において、本方法は、図１２を参照しながら上記で説明したように、第１の探索空間から制御チャネルを復号することを含み得る。いくつかの例では、ブロック２０２０の機能は、図１６を参照しながら上記で説明したように、制御デコーダモジュール１６０５によって実行され得る。
【０１５５】
[0176]ブロック２０２５において、本方法は、図１２を参照しながら上記で説明したように、第２の探索空間からデータチャネルを復号することを伴い得る。いくつかの例では、ブロック２０２５の機能は、図１６を参照しながら上記で説明したように、データデコーダモジュール１６１０によって実行され得る。
【０１５６】
[0177]図２１に、本開示の様々な態様による、カバレージ拡張の下でのＵＥのためのリソース管理のための方法を示すフローチャート２１００を示す。フローチャート２１００の機能は、図１〜図１７を参照しながら説明したように、ＵＥ１１５またはそれの構成要素のうちの１つもしくは複数によって実装され得る。いくつかの例では、フローチャート２１００のブロックのうちの１つまたは複数は、図１４〜図１７を参照しながら説明したように、探索空間監視モジュール１４１０または１７１０によって実行され得る。フローチャート２１００において説明する方法はまた、図１８〜図２０のフローチャート１８００〜２０００の態様を組み込み得る。
【０１５７】
[0178]ブロック２１０５において、本方法は、図１３を参照しながら上記で説明したように、第１のチャネルの少なくとも１つのＴＴＩバンドリング長さと第２のチャネルのＴＴＩバンドリング長さとを識別することを含み得る。第１のチャネルは、制御チャネルまたはデータチャネルであり得、第２のチャネルは、制御チャネルまたはデータチャネルであり得る。場合によっては、第１のチャネルと第２のチャネルとの両方が制御チャネルである。いくつかの例では、ブロック２１０５の機能は、図１６を参照しながら上記で説明したように、ＴＴＩバンドリングモジュール１６１５によって実行され得る。
【０１５８】
[0179]ブロック２１１０において、本方法は、図１３を参照しながら上記で説明したように、１つまたは複数の識別されたＴＴＩバンドリング長さに基づいて、第１のチャネルについて第１の探索空間を監視し、第２のチャネルについて第２の探索空間を監視することを決定することを含み得る。いくつかの例では、ブロック２１１０の機能は、図１６を参照しながら上記で説明したように、ＴＴＩバンドリングモジュール１６１５によって実行され得る。
【０１５９】
[0180]ブロック２１１５において、本方法は、図１３を参照しながら上記で説明したように、識別されたＴＴＩバンドリング長さに少なくとも部分的に基づいて、ＴＴＩ中に第１のチャネルについて第１の探索空間を監視することを伴い得る。いくつかの例では、ブロック２１１５の機能は、図１５を参照しながら上記で説明したように、制御監視モジュール１５０５によって実行され得る。
【０１６０】
[0181]ブロック２１２０において、本方法は、図１３を参照しながら上記で説明したように、第２のチャネルについてＴＴＩ中に第２の探索空間を監視することを伴い得る。第２のチャネルは、データチャネルであり得る。いくつかの例では、ブロック２１２０の機能は、図１５を参照しながら上記で説明したように、データ監視モジュール１５１０によって実行され得る。
【０１６１】
[0182]フローチャート１８００、１９００、２０００、および２１００で示した方法は、例示的な実装形態であること、ならびに、方法の動作、およびステップは、他の実装形態が可能であるように再構成され得るか、または他の方法で変更され得ることに留意されたい。
【０１６２】
[0183]添付の図面に関して上記に記載した詳細な説明は、例および例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【０１６３】
[0184]情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１６４】
[0185]本明細書の開示に関して説明した様々な例示的なブロックおよびモジュールは、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０１６５】
[0186]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され得るか、あるいはコンピュータ可読媒体を介して送信され得る。他の例および実装形態は、本開示の範囲内および添付の特許請求の範囲内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１６６】
[0187]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、非一時的媒体を含む、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、任意の接続がコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１６７】
[0188]本開示についての以上の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【０１６８】
[0189]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書において記載される技法は、上述のシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
【図１】
2020115647.tif 000003
【図２】
2020115647.tif 000004
【図３Ａ】
2020115647.tif 000005
【図３Ｂ】
2020115647.tif 000006
【図３Ｃ】
2020115647.tif 000007
【図３Ｄ】
2020115647.tif 000008
【図４】
2020115647.tif 000009
【図５】
2020115647.tif 000010
【図６】
2020115647.tif 000011
【図７】
2020115647.tif 000012
【図８】
2020115647.tif 000013
【図９】
2020115647.tif 000014
【図１０】
2020115647.tif 000015
【図１１】
2020115647.tif 000016
【図１２】
2020115647.tif 000017
【図１３】
2020115647.tif 000018
【図１４】
2020115647.tif 000019
【図１５】
2020115647.tif 000020
【図１６】
2020115647.tif 000021
【図１７】
2020115647.tif 000022
【図１８】
2020115647.tif 000023
【図１９】
2020115647.tif 000024
【図２０】
2020115647.tif 000025
【図２１】
2020115647.tif 000026
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のチャネルの第１の送信時間間隔（ＴＴＩ）バンドリング長さを識別することと、
第２のチャネルの第２のＴＴＩバンドリング長さを識別することと、
ＴＴＩ中に、前記識別された第１のＴＴＩバンドリング長さに少なくとも部分的に基づいて、前記第１のチャネルのための第１の探索空間を監視することと、
前記ＴＴＩ中に、前記識別された第２のＴＴＩバンドリング長さに少なくとも部分的に基づいて、前記第２のチャネルのための第２の探索空間を監視することと、
を備え、
前記第１のチャネルは制御チャネルを備え、前記第２のチャネルは、前記制御チャネルに関連付けられていないデータチャネルを備え、前記第２の探索空間は、データチャネル領域内にある、方法。
【請求項２】
第１のＴＴＩバンドリング長さ構成と第２のＴＴＩバンドリング長さ構成とを示すシグナリングを受信すること、をさらに備え、
前記第１の探索空間は、前記第１のＴＴＩバンドリング長さ構成に対応する前記識別された第１のＴＴＩバンドリング長さに少なくとも部分的に基づいて監視され、
前記第２の探索空間は、前記第２のＴＴＩバンドリング長さ構成に対応する前記識別された第２のＴＴＩバンドリング長さに少なくとも部分的に基づいて監視される、
請求項１に記載の方法。
【請求項３】
前記第１のチャネルは、第１の制御チャネルを備える、請求項１に記載の方法。
【請求項４】
前記第１の制御チャネルは、前記ＴＴＩ中に他のチャネルと周波数分割多重化される、請求項３に記載の方法。
【請求項５】
前記第１のチャネルと前記第２のチャネルとは、それぞれ畳み込み符号化される、請求項１に記載の方法。
【請求項６】
前記第１のＴＴＩバンドリング長さと前記第２のＴＴＩバンドリング長さとは異なる、請求項１に記載の方法。
【請求項７】
前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、請求項１に記載の方法。
【請求項８】
前記第１の探索空間と前記第２の探索空間とは、前記ＴＴＩ中で同じアグリゲーションレベルを有する、請求項１に記載の方法。
【請求項９】
前記第１の探索空間と前記第２の探索空間とは、前記ＴＴＩ中で異なるアグリゲーションレベルを有する、請求項１に記載の方法。
【請求項１０】
請求項１〜請求項９のうちのいずれか一項のステップを実行するように構成された手段を備える、装置。
【請求項１１】
ワイヤレス通信のためのコードを備えるコンピュータプログラムであって、前記コードは、コンピュータに、請求項１〜請求項９のうちのいずれか一項のステップを実行させる、コンピュータプログラム。
【手続補正２】
【補正対象書類名】明細書
【補正対象項目名】０１６８
【補正方法】変更
【補正の内容】
【０１６８】
[0189]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書において記載される技法は、上述のシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
[Ｃ１]  ワイヤレス通信の方法であって、
第１のチャネルの第１の送信時間間隔（ＴＴＩ）バンドリング長さを識別することと、  第２のチャネルの第２のＴＴＩバンドリング長さを識別することと、
前記識別された第１のＴＴＩバンドリング長さに少なくとも部分的に基づいて、ＴＴＩ中に前記第１のチャネルについて第１の探索空間を監視することと、
前記識別された第２のＴＴＩバンドリング長さに少なくとも部分的に基づいて、前記ＴＴＩ中に前記第２のチャネルについて第２の探索空間を監視することと、
を備える、方法。
[Ｃ２]  第１のＴＴＩバンドリング長さ構成と第２のＴＴＩバンドリング長さ構成とを示すシグナリングを受信すること、をさらに備え、
前記第１の探索空間は、前記第１のＴＴＩバンドリング長さ構成に対応する前記識別された第１のＴＴＩバンドリング長さに少なくとも部分的に基づいて監視され、
前記第２の探索空間は、前記識別された第２のＴＴＩバンドリング長さ構成に少なくとも部分的に基づいて監視される、
Ｃ１に記載の方法。
[Ｃ３]  前記第１のチャネルは第１の制御チャネルを備え、前記第２のチャネルは第２の制御チャネルを備える、Ｃ１に記載の方法。
[Ｃ４]  前記第１の制御チャネルまたは前記第２の制御チャネルは、前記ＴＴＩ中に他のチャネルと周波数分割多重化される、Ｃ３に記載の方法。
[Ｃ５]  第３のチャネルの第３のＴＴＩバンドリング長さを識別することと、
前記識別された第３のＴＴＩバンドリング長さに少なくとも部分的に基づいて、前記ＴＴＩ中に前記第３のチャネルについて第３の探索空間を監視することと、
をさらに備える、Ｃ１に記載の方法。
[Ｃ６]  前記第１のチャネルと前記第２のチャネルとは制御チャネルを備え、前記第３のチャネルは、前記第１の制御チャネルまたは前記第２の制御チャネルに関連付けられていないデータチャネルを備える、Ｃ５に記載の方法。
[Ｃ７]  前記第１のチャネルと、前記第２のチャネルと、前記第３のチャネルとは、それぞれ畳み込み符号化される、Ｃ５に記載の方法。
[Ｃ８]  前記第１のＴＴＩバンドリング長さと前記第２のＴＴＩバンドリング長さとは異なる、Ｃ１に記載の方法。
[Ｃ９]  前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、Ｃ１に記載の方法。
[Ｃ１０]  前記第１の探索空間は、共通探索空間を備え、前記第１のＴＴＩバンドリング長さは、前記共通探索空間を示し、
前記第２の探索空間は、共通探索空間を備え、前記第２のＴＴＩバンドリング長さは、前記共通探索空間を示す、Ｃ１に記載の方法。
[Ｃ１１]  前記第１の探索空間は、デバイス固有の探索空間を備え、前記第１のＴＴＩバンドリング長さは、前記デバイス固有の探索空間を示し、
前記第２の探索空間は、デバイス固有の探索空間を備え、前記第２のＴＴＩバンドリング長さは、前記デバイス固有の探索空間を示す、Ｃ１に記載の方法。
[Ｃ１２]  前記第１の探索空間と前記第２の探索空間とは、前記ＴＴＩ中で同じアグリゲーションレベルを有する、Ｃ１に記載の方法。
[Ｃ１３]  前記第１の探索空間と前記第２の探索空間とは、前記ＴＴＩ中で異なるアグリゲーションレベルを有する、Ｃ１に記載の方法。
[Ｃ１４]  ワイヤレス通信のための装置であって、
第１のチャネルの第１の送信時間間隔（ＴＴＩ）バンドリング長さを識別するための手段と、
第２のチャネルの第２のＴＴＩバンドリング長さを識別するための手段と、
前記識別された第１のＴＴＩバンドリング長さに少なくとも部分的に基づいて、ＴＴＩ中に前記第１のチャネルについて第１の探索空間を監視するための手段と、
前記識別された第２のＴＴＩバンドリング長さに少なくとも部分的に基づいて、前記ＴＴＩ中に前記第２のチャネルについて第２の探索空間を監視するための手段と、
を備える、装置。
[Ｃ１５]  第１のＴＴＩバンドリング長さ構成と第２のＴＴＩバンドリング長さ構成とを示すシグナリングを受信するための手段、をさらに備え、
前記第１の探索空間を監視するための前記手段は、前記第１のＴＴＩバンドリング長さ構成に対応する前記識別された第１のＴＴＩバンドリング長さに少なくとも部分的に基づいて監視することを実行するように動作可能であり、
前記第２の探索空間を監視するための前記手段は、前記識別された第２のＴＴＩバンドリング長さ構成に少なくとも部分的に基づいて監視することを実行するように動作可能である、
Ｃ１４に記載の装置。
[Ｃ１６]  前記第１のチャネルは第１の制御チャネルを備え、前記第２のチャネルは第２の制御チャネルを備える、Ｃ１４に記載の装置。
[Ｃ１７]  前記第１の制御チャネルまたは前記第２の制御チャネルは、前記ＴＴＩ中に他のチャネルと周波数分割多重化される、Ｃ１６に記載の装置。
[Ｃ１８]  第３のチャネルの第３のＴＴＩバンドリング長さを識別するための手段と、
前記識別された第３のＴＴＩバンドリング長さに少なくとも部分的に基づいて、前記ＴＴＩ中に前記第３のチャネルについて第３の探索空間を監視するための手段と、
をさらに備える、Ｃ１４に記載の装置。
[Ｃ１９]  前記第１のチャネルと前記第２のチャネルとは制御チャネルを備え、前記第３のチャネルは、前記第１の制御チャネルまたは前記第２の制御チャネルに関連付けられていないデータチャネルを備える、Ｃ１８に記載の装置。
[Ｃ２０]  前記第１のチャネルと、前記第２のチャネルと、前記第３のチャネルとは、それぞれ畳み込み符号化される、Ｃ１８に記載の装置。
[Ｃ２１]  前記第１のＴＴＩバンドリング長さと前記第２のＴＴＩバンドリング長さとは異なる、Ｃ１４に記載の装置。
[Ｃ２２]  前記第１の探索空間は、共通探索空間を備え、前記第１のＴＴＩバンドリング長さは、前記共通探索空間を示し、
前記第２の探索空間は、デバイス固有の探索空間を備え、前記第２のＴＴＩバンドリング長さは、前記デバイス固有の探索空間を示す、Ｃ１４に記載の装置。
[Ｃ２３]  前記第１の探索空間は、共通探索空間を備え、前記第１のＴＴＩバンドリング長さは、前記共通探索空間を示し、
前記第２の探索空間は、共通探索空間を備え、前記第２のＴＴＩバンドリング長さは、前記共通探索空間を示す、Ｃ１４に記載の装置。
[Ｃ２４]  前記第１の探索空間は、デバイス固有の探索空間を備え、前記第１のＴＴＩバンドリング長さは、前記デバイス固有の探索空間を示し、
前記第２の探索空間は、デバイス固有の探索空間を備え、前記第２のＴＴＩバンドリング長さは、前記デバイス固有の探索空間を示す、Ｃ１４に記載の装置。
[Ｃ２５]  ワイヤレス通信のための装置であって、
プロセッサと、
前記プロセッサと電子通信しているメモリと、
前記メモリ中に記憶され、前記プロセッサによって実行されたとき、前記装置に、
第１のチャネルの第１の送信時間間隔（ＴＴＩ）バンドリング長さを識別することと、
第２のチャネルの第２のＴＴＩバンドリング長さを識別することと、
前記識別された第１のＴＴＩバンドリング長さに少なくとも部分的に基づいて、ＴＴＩ中に前記第１のチャネルについて第１の探索空間を監視することと、
前記識別された第２のＴＴＩバンドリング長さに少なくとも部分的に基づいて、前記ＴＴＩ中に前記第２のチャネルについて第２の探索空間を監視することと、
を行わせるように動作可能な命令と、
を備える、装置。
[Ｃ２６]  前記命令は、前記装置に、
第１のＴＴＩバンドリング長さ構成と第２のＴＴＩバンドリング長さ構成とを示すシグナリングを受信すること、を行わせるように動作可能であり、
前記第１の探索空間は、第１のＴＴＩバンドリング長さ構成に対応する前記識別された第１のＴＴＩバンドリング長さに少なくとも部分的に基づいて監視され、
前記第２の探索空間は、前記識別された第２のＴＴＩバンドリング長さ構成に少なくとも部分的に基づいて監視される、
Ｃ２５に記載の装置。
[Ｃ２７]  前記第１のチャネルは第１の制御チャネルを備え、前記第２のチャネルは第２の制御チャネルを備える、Ｃ２５に記載の装置。
[Ｃ２８]  前記命令は、前記装置に、
第３のチャネルの第３のＴＴＩバンドリング長さを識別することと、
前記識別された第３のＴＴＩバンドリング長さに少なくとも部分的に基づいて、前記ＴＴＩ中に前記第３のチャネルについて第３の探索空間を監視することと、
を行わせるように動作可能である、Ｃ２５に記載の装置。
[Ｃ２９]  前記第１のチャネルと前記第２のチャネルとは制御チャネルを備え、前記第３のチャネルは、前記第１の制御チャネルまたは前記第２の制御チャネルに関連付けられていないデータチャネルを備える、Ｃ２８に記載の装置。
[Ｃ３０]  ワイヤレス通信のためのコードを記憶する非一時的コンピュータ可読媒体であって、前記コードは
第１のチャネルの送信時間間隔（ＴＴＩ）バンドリング長さを識別することと、
前記識別されたＴＴＩバンドリング長さに少なくとも部分的に基づいて、ＴＴＩ中に前記第１のチャネルについて第１の探索空間を監視することと、
を行うように実行可能な命令を備える、非一時的コンピュータ可読媒体。
【外国語明細書】
2020115647000001.pdf